(57)【特許請求の範囲】
【請求項１】
ユーザ機器（ＵＥ）におけるワイヤレス通信のための方法であって、
基地局にキャリアの非直交チャネルのためのチャネルフィードバックを報告することと、
前記報告されたチャネルフィードバックに応答して、前記キャリア上でのダウンリンク送信のための複数の潜在的送信ストラテジーを前記基地局から受信することと、
前記基地局に前記複数の潜在的送信ストラテジーのうちの少なくとも１つの送信ストラテジーのためのチャネル品質を報告することと、
前記少なくとも１つの送信ストラテジーから選択された送信ストラテジーに従って、前記非直交チャネルのうちの１つまたは複数上で前記基地局からダウンリンク送信を受信することと
を備える、方法。
【請求項２】
前記非直交チャネルのためのチャネル行列と雑音共分散行列とに基づいて、チャネルフィードバック行列を決定すること
をさらに備え、
ここにおいて、前記チャネルフィードバックを前記報告することが、前記チャネルフィードバック行列の少なくとも１つの構成要素を報告することを備える、
請求項１に記載の方法。
【請求項３】
前記チャネルフィードバック行列が、プリコーディング行列に基づいてさらに決定される、請求項２に記載の方法。
【請求項４】
前記プリコーディング行列が、前記非直交チャネルのためのデフォルトプリコーディング行列を備える、請求項３に記載の方法。
【請求項５】
周波数領域相関、時間領域相関、またはそれらの組合せに従って、前記チャネルフィードバック行列の前記少なくとも１つの構成要素のための報告される値を圧縮すること
をさらに備える、請求項２に記載の方法。
【請求項６】
前記複数の潜在的送信ストラテジーのうちの第１の送信ストラテジーが、前記ＵＥのための第１のデータ送信と、異なるＵＥのための第２のデータ送信とを備える、請求項１に記載の方法。
【請求項７】
前記第２のデータ送信から雑音を受ける前記第１のデータ送信のためのチャネル品質の推定値に基づいて、前記第１の送信ストラテジーのための前記チャネル品質を決定すること
をさらに備える、請求項６に記載の方法。
【請求項８】
前記第２のデータ送信の干渉消去の後の前記第１のデータ送信のためのチャネル品質の推定値に基づいて、前記第１の送信ストラテジーのための前記チャネル品質を決定すること
をさらに備える、請求項６に記載の方法。
【請求項９】
前記少なくとも１つの送信ストラテジーが、少なくとも１つのシングルユーザ送信ストラテジーと、少なくとも１つのマルチユーザ送信ストラテジーとを備える、請求項１に記載の方法。
【請求項１０】
前記複数の潜在的送信ストラテジーが、１つまたは複数の送信ストラテジーセットにアセンブルされ、前記方法は、
前記複数の潜在的送信ストラテジーから前記少なくとも１つの送信ストラテジーを選択すること、ここにおいて、前記少なくとも１つの送信ストラテジーが、前記１つまたは複数の送信ストラテジーセットの各々からの１つまたは複数の送信ストラテジーを備える、をさらに備える、請求項１に記載の方法。
【請求項１１】
前記複数の潜在的送信ストラテジーの各送信ストラテジーは、プリコーディング行列、前記ＵＥへの前記ダウンリンク送信のための空間レイヤの第１のセット、少なくとも１つの他のＵＥへの前記ダウンリンク送信のための空間レイヤの第２のセット、前記各送信ストラテジーに関連する前記チャネル品質を達成するために干渉消去が適用されるかどうか、またはそれらの組合せのいずれかを備える、請求項１に記載の方法。
【請求項１２】
基地局におけるワイヤレス通信の方法であって、
キャリアの非直交チャネルのためのチャネルフィードバックを複数のユーザ機器（ＵＥ）から受信することと、
前記チャネルフィードバックに少なくとも部分的に基づいて、前記キャリア上でのダウンリンク送信のための前記１つまたは複数のＵＥのための潜在的送信ストラテジーのそれぞれのセットを、前記複数のＵＥのうちの１つまたは複数のＵＥに送ることと、
前記１つまたは複数のＵＥから、潜在的送信ストラテジーの前記それぞれのセットの各々の少なくともサブセットに関連するそれぞれのチャネル品質を受信することと、
前記１つまたは複数のＵＥから受信された前記それぞれのチャネル品質に少なくとも部分的に基づいて、ダウンリンク送信のセットのための１つまたは複数の送信ストラテジーを選択することと、
前記選択された送信ストラテジーに従って、前記非直交チャネルのうちの１つまたは複数上で、ダウンリンク送信の前記セットを前記複数のＵＥの少なくともサブセットに送信することと
を備える、方法。
【請求項１３】
前記１つまたは複数のＵＥのための潜在的送信ストラテジーの前記それぞれのセットを前記送ることは、
前記チャネルフィードバックに少なくとも部分的に基づいて、潜在的送信ストラテジーの前記それぞれのセットのために前記１つまたは複数のＵＥをグループ化すること、ここにおいて、送信ストラテジーのためにグループ化されたＵＥが、前記送信ストラテジーのための前記非直交チャネルの少なくとも部分的に重複するリソースに割り当てられる、を備える、請求項１２に記載の方法。
【請求項１４】
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも１つのＵＥが、前記第１の送信ストラテジーのための単一の空間レイヤを利用する、請求項１３に記載の方法。
【請求項１５】
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも１つのＵＥが、前記第１の送信ストラテジーのための複数の空間レイヤを利用する、請求項１３に記載の方法。
【請求項１６】
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも２つのＵＥへの前記第１の送信ストラテジーのための送信が、直交である、請求項１３に記載の方法。
【請求項１７】
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも２つのＵＥへの前記第１の送信ストラテジーのための送信が、非直交である、請求項１３に記載の方法。
【請求項１８】
送信電力が、前記第１の潜在的ＵＥグループのうちの前記少なくとも２つのＵＥ間で分割される、請求項１７に記載の方法。
【請求項１９】
潜在的送信ストラテジーの前記それぞれのセットが、前記複数のＵＥの各ＵＥに関連する潜在的送信ストラテジーの１つまたは複数のセットを備える、請求項１２に記載の方法。
【請求項２０】
前記受信されたチャネルフィードバックに基づいて、前記複数のＵＥのうちの少なくとも１つのＵＥのためのチャネル品質を決定することと、
前記決定されたチャネル品質に基づいて、前記複数のＵＥのうちの前記少なくとも１つのＵＥのための前記非直交チャネルの送信リソースをスケジュールすることと
をさらに備える、請求項１２に記載の方法。
【請求項２１】
前記少なくとも１つのＵＥから受信された前記それぞれのチャネル品質に少なくとも部分的に基づいて、チャネル状態が前記複数のＵＥのうちの少なくとも１つのＵＥについて変化したと決定することと、
前記少なくとも１つのＵＥからの更新されたチャネルフィードバックの報告をトリガすることと
をさらに備える、請求項１２に記載の方法。
【請求項２２】
ユーザ機器（ＵＥ）によるワイヤレス通信のための装置であって、
プロセッサと、
前記プロセッサと電子通信しているメモリと、前記メモリに記憶された命令と
を備え、前記命令は、前記プロセッサによって、
基地局にキャリアの非直交チャネルのためのチャネルフィードバックを報告することと、
前記報告されたチャネルフィードバックに応答して、前記キャリア上でのダウンリンク送信のための複数の潜在的送信ストラテジーを前記基地局から受信することと、
前記複数の潜在的送信ストラテジーのうちの少なくとも１つの送信ストラテジーのためのチャネル品質を報告することと、
前記少なくとも１つの送信ストラテジーから選択された送信ストラテジーに従って、前記非直交チャネルのうちの１つまたは複数上で前記基地局からダウンリンク送信を受信することと
を行うように実行可能である、装置。
【請求項２３】
前記命令は、前記プロセッサによって、
前記非直交チャネルのためのチャネル行列と雑音共分散行列とに基づいてチャネルフィードバック行列を決定することと、
前記チャネルフィードバック中で前記チャネルフィードバック行列の少なくとも１つの構成要素を報告することと
を行うように実行可能である、請求項２２に記載の装置。
【請求項２４】
前記チャネルフィードバック行列が、プリコーディング行列に基づいてさらに決定される、請求項２３に記載の装置。
【請求項２５】
前記複数の潜在的送信ストラテジーのうちの第１の送信ストラテジーが、前記ＵＥのための第１のデータ送信と、異なるＵＥのための第２のデータ送信とを備える、請求項２２に記載の装置。
【請求項２６】
前記命令は、前記プロセッサによって、
前記第２のデータ送信から雑音を受ける前記第１のデータ送信のための前記チャネル品質を推定することによって、または、前記第２のデータ送信の干渉消去の後の前記第１のデータ送信のための前記チャネル品質を推定することによって、前記第１の送信ストラテジーのための前記チャネル品質を決定すること
を行うように実行可能である、請求項２５に記載の装置。
【請求項２７】
前記複数の潜在的送信ストラテジーが、１つまたは複数の送信ストラテジーセットにアセンブルされ、前記命令は、前記プロセッサによって、、
前記複数の潜在的送信ストラテジーから前記少なくとも１つの送信ストラテジーを選択すること、ここにおいて、前記少なくとも１つの送信ストラテジーが、前記１つまたは複数の送信ストラテジーセットの各々からの１つまたは複数の送信ストラテジーを備える、
を行うように実行可能である、請求項２２に記載の装置。
【請求項２８】
基地局によるワイヤレス通信のための装置であって、
プロセッサと、
前記プロセッサと電子通信しているメモリと、前記メモリに記憶された命令と
を備え、前記命令は、前記プロセッサによって、
キャリアの非直交チャネルのためのチャネルフィードバックを複数のユーザ機器（ＵＥ）から受信することと、
前記チャネルフィードバックに少なくとも部分的に基づいて、前記キャリア上でのダウンリンク送信のための前記１つまたは複数のＵＥのための潜在的送信ストラテジーのそれぞれのセットを、前記複数のＵＥのうちの１つまたは複数のＵＥに送ることと、
前記複数のＵＥのうちの前記１つまたは複数のＵＥから、潜在的送信ストラテジーの前記それぞれのセットの各々の少なくともサブセットに関連するそれぞれのチャネル品質を受信することと、
前記１つまたは複数のＵＥから受信された前記それぞれのチャネル品質に少なくとも部分的に基づいて、ダウンリンク送信のセットのための１つまたは複数の送信ストラテジーを選択することと、
前記選択された送信ストラテジーに従って、前記非直交チャネルのうちの１つまたは複数上で、ダウンリンク送信の前記セットを前記複数のＵＥの少なくともサブセットに送信することと
を行うように実行可能である、装置。
【請求項２９】
前記命令は、前記プロセッサによって、
前記チャネルフィードバックに少なくとも部分的に基づいて、潜在的送信ストラテジーの前記それぞれのセットのために前記１つまたは複数のＵＥをグループ化すること、ここにおいて、送信ストラテジーのためにグループ化されたＵＥが、前記送信ストラテジーのための前記非直交チャネルの少なくとも部分的に重複するリソースに割り当てられる、
を行うように実行可能である、請求項２８に記載の装置。
【請求項３０】
前記命令は、前記プロセッサによって、
前記受信されたチャネルフィードバックに基づいて、前記複数のＵＥのうちの少なくとも１つのＵＥのためのチャネル品質を決定することと、
前記決定されたチャネル品質に基づいて、前記複数のＵＥのうちの前記少なくとも１つのＵＥのための前記非直交チャネルの送信リソースをスケジュールすることと
を行うように実行可能である、請求項２８に記載の装置。
【発明の詳細な説明】
【技術分野】
【０００１】
相互参照
[0001]本特許出願は、各々が本出願の譲受人に譲渡された、２０１５年９月１０日に出願された、「Dual Thread Feedback Design for Non-Orthogonal Channels」と題する、Ｓｕｎらによる米国特許出願第１４／８５０，７３７号、および２０１４年９月１８日に出願された、「Dual Thread Feedback Design for NOMA」と題する、Ｓｕｎらによる米国仮特許出願第６２／０５２，４６１号の優先権を主張する。
【０００２】
[0002]本開示は、たとえば、ワイヤレス通信システムに関し、より詳細には、ワイヤレス通信において使用される非直交チャネルのためのフィードバックおよびスケジューリングに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]通信システムは、複数の送信レイヤを使用してキャリア上での通信をサポートし得る。場合によっては、送信レイヤは、時間および／または周波数が重複し得る。そのような通信システムは、増加された信頼性または容量のためにマルチアンテナ技法を利用し得る。マルチアンテナ技法としては、送信ダイバーシティ、多入力多出力（ＭＩＭＯ）技法、および非直交多元接続（ＮＯＭＡ）技法がある。Ｔ個の送信アンテナとＲ個の受信アンテナとを採用する（employ）マルチアンテナシステムは、シングルアンテナ技法よりもｍｉｎ｛Ｔ，Ｒ｝の容量増加を実現し得る。しかしながら、多元接続システムでは、たとえば、シングルユーザＭＩＭＯ（ＳＵ−ＭＩＭＯ）、マルチユーザＭＩＭＯ（ＭＵ−ＭＩＭＯ）、およびＮＯＭＡを含む、複数のアンテナを採用する技法において可能な変形形態は、複数のＵＥへの可能な送信の空間にわたってチャネルスケジューリングを最適化する際に問題を生じる。
【発明の概要】
【０００６】
[0006]説明する特徴は、一般に、ワイヤレス通信システムにおいて使用される非直交チャネルのためのデュアルスレッドフィードバック（dual-thread feedback）のための１つまたは複数の改善されたシステム、方法、および／または装置に関する。説明する特徴は、サービングｅノードＢ（ｅＮＢ）への非直交チャネルのためののユーザ機器（ＵＥ）によるチャネルフィードバックの報告を含む、第１のフィードバックスレッドを含み得る。チャネルフィードバックは、非直交チャネルのチャネル行列および雑音共分散行列から決定されたチャネル測定行列の１つまたは複数の要素を含み得、非直交チャネル上でのＵＥとの通信のために使用されるべき送信ストラテジー（ＴＳ：transmission strategy）に非依存であり得る。サービングｅＮＢは、複数のＵＥに関連する１つまたは複数のＴＳセットを決定し、ＴＳセットをＵＥに送り得、それは、各ＴＳセットから１つまたは複数のＴＳを選択し、選択されたＴＳのためのチャネル状態情報（ＣＳＩ：channel state information）の少なくともサブセットを第２のフィードバックスレッド中で報告し得る。ＴＳは、多元接続技法、送信モード、および／またはＣＳＩフィードバックのタイプに従ってＴＳセットにアセンブルされ得る。サービングｅＮＢは、第１のフィードバックスレッドからのチャネルフィードバックおよび／または第２のフィードバックスレッドからのＣＳＩに基づいて、複数のＵＥへの送信のためのスケジューリングを実行し得る。
【０００７】
[0007]ＵＥにおけるワイヤレス通信のための方法が説明され、本方法は、キャリアの非直交チャネルのためのチャネルフィードバックを報告することと、キャリア上でのダウンリンク送信のための複数の潜在的（potential）送信ストラテジーを受信することと、複数の潜在的送信ストラテジーのうちの少なくとも１つの送信ストラテジーのためのチャネル品質を報告することと、少なくとも１つの送信ストラテジーから選択された送信ストラテジーに従って、非直交チャネルのうちの１つまたは複数上でダウンリンク送信を受信することとを含む。
【０００８】
[0008]キャリアの非直交チャネルのためのチャネルフィードバックを報告するための手段と、キャリア上でのダウンリンク送信のための複数の潜在的送信ストラテジーを受信するための手段と、複数の潜在的送信ストラテジーのうちの少なくとも１つの送信ストラテジーのためのチャネル品質を報告するための手段と、少なくとも１つの送信ストラテジーから選択された送信ストラテジーに従って、非直交チャネルのうちの１つまたは複数上でダウンリンク送信を受信するための手段とを含む、ＵＥによるワイヤレス通信のための装置について説明する。
【０００９】
[0009]プロセッサと、プロセッサと電子通信しているメモリと、メモリに記憶された命令とを含む、ＵＥによるワイヤレス通信のための装置が説明され、命令は、キャリアの非直交チャネルためのチャネルフィードバックを報告することと、キャリア上でのダウンリンク送信のための複数の潜在的送信ストラテジーを受信することと、複数の潜在的送信ストラテジーのうちの少なくとも１つの送信ストラテジーのためのチャネル品質を報告することと、少なくとも１つの送信ストラテジーから選択された送信ストラテジーに従って、非直交チャネルのうちの１つまたは複数上でダウンリンク送信を受信することとを行うためにプロセッサによって実行可能である。
【００１０】
[0010]ＵＥによるワイヤレス通信のためのコードを記憶する非一時的コンピュータ可読媒体が説明され、コードは、キャリアの非直交チャネルためのチャネルフィードバックを報告することと、キャリア上でのダウンリンク送信のための複数の潜在的送信ストラテジーを受信することと、複数の送信ストラテジーのうちの少なくとも１つの送信ストラテジーのためのチャネル品質を報告することと、少なくとも１つの送信ストラテジーから選択された送信ストラテジーに従って、非直交チャネルのうちの１つまたは複数上でダウンリンク送信を受信することとを行うためにプロセッサによって実行可能な命令を備える。
【００１１】
[0011]上記で説明した方法のいくつかの例は、非直交チャネルのためのチャネル行列と雑音共分散行列とに基づいて、チャネルフィードバック行列を決定することを含み得る。上記で説明した方法のいくつかの例では、チャネルフィードバックを報告することは、チャネルフィードバック行列の少なくとも１つの構成要素（component）を報告することを含む。上記で説明した装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１２】
[0012]上記で説明した方法のいくつかの例では、チャネルフィードバック行列を決定することが、プリコーディング行列にさらに基づく。プリコーディング行列は、非直交チャネルのためのデフォルトプリコーディング行列であり得る。上記で説明した方法のいくつかの例は、周波数領域相関、時間領域相関、またはそれらの組合せに従って、チャネルフィードバック行列の少なくとも１つの構成要素のための報告される値を圧縮することを含み得る。上記で説明した装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１３】
[0013]上記で説明した方法のいくつかの例では、複数の潜在的送信ストラテジーのうちの第１の送信ストラテジーが、ＵＥのための第１のデータ送信と、異なるＵＥのための第２のデータ送信とを含む。上記で説明した方法のいくつかの例では、第１の送信ストラテジーのためのチャネル品質を決定することが、第２のデータ送信から雑音を受ける第１のデータ送信のためのチャネル品質の推定値（estimate）に基づき得る。上記で説明した方法のいくつかの例では、第１の送信ストラテジーのためのチャネル品質を決定することが、第２のデータ送信の干渉消去の後の第１のデータ送信のためのチャネル品質の推定値に基づき得る。上記で説明した装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１４】
[0014]上記で説明した方法のいくつかの例では、少なくとも１つの送信ストラテジーは、少なくとも１つのシングルユーザ送信ストラテジーと、少なくとも１つのマルチユーザ送信ストラテジーとを含み得る。上記で説明した方法のいくつかの例では、複数の潜在的送信ストラテジーは、１つまたは複数の送信ストラテジーセットにアセンブルされる。上記で説明した方法のいくつかの例は、複数の潜在的送信ストラテジーから少なくとも１つの送信ストラテジーを選択することを含み得、ここにおいて、少なくとも１つの送信ストラテジーは、１つまたは複数の送信ストラテジーセットの各々からの１つまたは複数の送信ストラテジーを含む。上記で説明した装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１５】
[0015]上記で説明した方法のいくつかの例では、複数の潜在的送信ストラテジーの各送信ストラテジーは、プリコーディング行列、ＵＥへの送信のための空間レイヤの第１のセット、少なくとも１つの他のＵＥへの送信のための空間レイヤの第２のセット、各送信ストラテジーに関連するチャネル品質を達成するために干渉消去が適用されるかどうか、またはそれらの組合せのいずれかを含み得る。上記で説明した装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１６】
[0016]基地局におけるワイヤレス通信の方法が説明され、本方法は、キャリアの非直交チャネルためのチャネルフィードバックを複数のＵＥから受信することと、チャネルフィードバックに少なくとも部分的に基づいて、キャリア上でのダウンリンク送信のための１つまたは複数のＵＥのための潜在的送信ストラテジーのそれぞれのセットを、複数のＵＥのうちの１つまたは複数のＵＥに送ることと、複数のＵＥのうちの１つまたは複数のＵＥから潜在的送信ストラテジーのそれぞれのセットの各々の少なくともサブセットに関連するチャネル品質を受信することと、受信されたチャネル品質に少なくとも部分的に基づいて、ダウンリンク送信のセットのための１つまたは複数の送信ストラテジーを選択することと、選択された送信ストラテジーに従って、１つまたは複数の非直交チャネル上で、ダウンリンク送信のセットを複数のＵＥの少なくともサブセットに送信することとを含む。
【００１７】
[0017]基地局によるワイヤレス通信のための装置が説明され、本装置は、キャリアの非直交チャネルのためのチャネルフィードバックを複数のＵＥから受信するための手段と、チャネルフィードバックに少なくとも部分的に基づいて、キャリア上でのダウンリンク送信のための１つまたは複数のＵＥのための潜在的送信ストラテジーのそれぞれのセットを、複数のＵＥのうちの１つまたは複数のＵＥに送るための手段と、複数のＵＥのうちの１つまたは複数のＵＥから潜在的送信ストラテジーのそれぞれのセットの少なくともサブセットに関連するチャネル品質を受信するための手段と、受信されたチャネル品質に少なくとも部分的に基づいて、ダウンリンク送信のセットのための１つまたは複数の送信ストラテジーを選択するための手段と、選択された送信ストラテジーに従って、１つまたは複数の非直交チャネル上で、ダウンリンク送信のセットを複数のＵＥの少なくともサブセットに送信するための手段とを含む。
【００１８】
[0018]基地局によるワイヤレス通信のための装置が説明され、本装置は、プロセッサと、プロセッサと電子通信しているメモリと、メモリに記憶された命令とを含み、命令は、キャリアの非直交チャネルのためのチャネルフィードバックを複数のＵＥから受信することと、チャネルフィードバックに少なくとも部分的に基づいて、キャリア上でのダウンリンク送信のための１つまたは複数のＵＥのための潜在的送信ストラテジーのそれぞれのセットを、複数のＵＥのうちの１つまたは複数のＵＥに送ることと、複数のＵＥのうちの１つまたは複数のＵＥから潜在的送信ストラテジーのそれぞれのセットの少なくともサブセットに関連するチャネル品質を受信することと、受信されたチャネル品質に少なくとも部分的に基づいて、ダウンリンク送信のセットのための１つまたは複数の送信ストラテジーを選択することと、選択された送信ストラテジーに従って、１つまたは複数の非直交チャネル上で、ダウンリンク送信のセットを複数のＵＥの少なくともサブセットに送信することとを行うためにプロセッサによって実行可能である。
【００１９】
[0019]基地局によるワイヤレス通信のためのコードを記憶する非一時的コンピュータ可読媒体が説明され、コードは、キャリアの非直交チャネルのためのチャネルフィードバックを複数のＵＥから受信することと、チャネルフィードバックに少なくとも部分的に基づいて、キャリア上でのダウンリンク送信のための１つまたは複数のＵＥのための潜在的送信ストラテジーのそれぞれのセットを、複数のＵＥのうちの１つまたは複数のＵＥに送ることと、複数のＵＥのうちの１つまたは複数のＵＥから潜在的送信ストラテジーのそれぞれのセットの少なくともサブセットに関連するチャネル品質を受信することと、受信されたチャネル品質に少なくとも部分的に基づいて、ダウンリンク送信のセットのための１つまたは複数の送信ストラテジーを選択することと、選択された送信ストラテジーに従って、１つまたは複数の非直交チャネル上で、ダウンリンク送信のセットを複数のＵＥの少なくともサブセットに送信することとを行うためにプロセッサによって実行可能な命令を含む。
【００２０】
[0020]上記で説明した方法のいくつかの例では、１つまたは複数のＵＥのための潜在的送信ストラテジーのそれぞれのセットを送ることは、チャネルフィードバックに少なくとも部分的に基づいて、潜在的送信ストラテジーのそれぞれのセットの送信ストラテジーのためにＵＥをグループ化することを含み、ここにおいて、送信ストラテジーのためにグループ化されたＵＥが、送信ストラテジーのための非直交チャネルの少なくとも部分的に重複するリソースに割り当てられる。上記で説明した方法のいくつかの例では、潜在的送信ストラテジーのそれぞれのセットは、第１の潜在的ＵＥグループに関連する第１の送信ストラテジーを含み得る。上記で説明した方法のいくつかの例では、第１の潜在的ＵＥグループのうちの少なくとも１つのＵＥが、第１の送信ストラテジーのための単一の空間レイヤを利用する。上記で説明した方法のいくつかの例では、第１の潜在的ＵＥグループのうちの少なくとも１つのＵＥが、第１の送信ストラテジーのための複数の空間レイヤを利用する。上記で説明した方法のいくつかの例では、第１の潜在的ＵＥグループのうちの少なくとも２つのＵＥへの第１の送信ストラテジーのための送信が、直交である。上記で説明した方法のいくつかの例では、第１の潜在的ＵＥグループのうちの少なくとも２つのＵＥへの第１の送信ストラテジーのための送信が、非直交である。上記で説明した方法のいくつかの例では、送信電力が、第１の潜在的ＵＥグループのうちの少なくとも２つのＵＥ間で分割される。上記で説明した方法のいくつかの例では、潜在的送信ストラテジーのそれぞれのセットが、複数のＵＥの各ＵＥに関連する潜在的送信ストラテジーの１つまたは複数のセットを備える。
【００２１】
[0021]上記で説明した方法のいくつかの例は、受信されたチャネルフィードバックに基づいて、複数のＵＥのうちの少なくとも１つのＵＥのための非直交チャネルの送信リソースをスケジュールすることを含み得る。上記で説明した方法のいくつかの例は、チャネル品質報告に少なくとも部分的に基づいて、チャネル状態が複数のＵＥのうちの少なくとも１つのＵＥについて変化したと決定することと、少なくとも１つのＵＥからの更新されたチャネルフィードバックの報告をトリガすることとを含み得る。
【００２２】
[0022]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００２３】
[0023]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２４】
【図１】[0024]本開示の様々な態様による、ワイヤレス通信システムのブロック図。
【図２】[0025]本開示の様々な態様による、非直交チャネルスケジューリングのためのデュアルスレッドフィードバックを採用し得る例示的なワイヤレス通信システムを示す図。
【図３】[0026]本開示の様々な態様による、ワイヤレス通信システムにおけるデュアルスレッドフィードバックのための例示的なメッセージフローを示す図。
【図４】[0027]本開示の態様による、デュアルスレッドフィードバックのための複数の送信ストラテジーセットの一例の図。
【図５】[0028]本開示の様々な態様による、ワイヤレス通信のためのデュアルスレッドフィードバックのための方法の流れ図。
【図６】[0029]本開示の様々な態様による、ワイヤレス通信のためのデュアルスレッドフィードバックのための方法の流れ図。
【図７】[0030]本開示の様々な態様による、ワイヤレス通信システムにおけるデュアルスレッドフィードバックのために構成されたデバイスのブロック図。
【図８】[0031]本開示の様々な態様による、ワイヤレス通信システムにおけるデュアルスレッドフィードバックのために構成されたデバイスのブロック図。
【図９】[0032]本開示の様々な態様による、ワイヤレス通信システムにおけるデュアルスレッドフィードバックのために構成されたＵＥのブロック図。
【図１０】[0033]本開示の様々な態様による、ワイヤレス通信システムにおけるデュアルスレッドフィードバックのために構成されたデバイスのブロック図。
【図１１】[0034]本開示の様々な態様による、ワイヤレス通信システムにおけるデュアルスレッドフィードバックのために構成されたデバイスのブロック図。
【図１２】[0035]本開示の様々な態様による、ワイヤレス通信システムにおけるデュアルスレッドフィードバックのために構成された基地局のブロック図。
【図１３】[0036]本開示の様々な態様による、例示的な多入力／多出力通信システムのブロック図。
【発明を実施するための形態】
【００２５】
[0037]一般に、第１のフィードバックスレッド中の非送信ストラテジー（ＴＳ）依存フィードバックと第２のフィードバックスレッド中のＴＳ依存フィードバックとを採用する、キャリアの非直交チャネルのためのデュアルスレッドフィードバックのための１つまたは複数の改善されたシステム、方法、および／または装置に関する技法について説明する。第１のフィードバックスレッドは、チャネル測定（たとえば、チャネル利得、雑音共分散など）からのチャネルフィードバックを含み得、周期的にフィードバックされ得る。ｅＮＢは、送信のためのグループ化され得るＵＥのための組合せ可能なＴＳを含むＴＳ空間を決定し、ＴＳの１つまたは複数のセットをＵＥに送り得る。ＵＥは、ＴＳのためのチャネル品質および／または他のチャネル状態情報（ＣＳＩ）を決定し、ＴＳセットのうちの１つまたは複数のＴＳのためのチャネル品質をフィードバックし得る。場合によっては、ＵＥは、各ＴＳセットから１つまたは複数のＴＳを選択し、選択されたＴＳのためのチャネル品質をフィードバックし得る。ｅＮＢは、第１のフィードバックスレッドからのチャネルフィードバックおよび／または第２のフィードバックスレッドからのチャネル品質に基づいて、ＵＥへの送信のスケジューリングを実行し得る。
【００２６】
[0038]以下の説明は、例を与える（provide）ものであり、特許請求の範囲に記載される範囲、適用性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２７】
[0039]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２８】
[0040]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１１０があり得る。
【００２９】
[0041]いくつかの例では、ワイヤレス通信システム１００はＬＴＥ（登録商標）／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリア、あるいはキャリアまたは基地局のカバレージエリア（たとえば、セクタなど）を表すために使用され得る３ＧＰＰ（登録商標）用語である。
【００３０】
[0042]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３１】
[0043]ワイヤレス通信システム１００は、同期動作または非同期動作をサポートし得る。同期動作の場合（for）、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３２】
[0044]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネル上で通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３３】
[0045]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００３４】
[0046]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、（たとえば、対スペクトルリソースを使用する）ＦＤＤまたは（たとえば、不対スペクトルリソースを使用する）ＴＤＤ動作を使用して、双方向通信を送信し得る。各通信リンク１２５は、１つまたは複数のキャリアを含み得、ここで、各キャリアは、異なる周波数範囲にわたり（span）、周波数範囲にわたるＵＬ、ＤＬ、またはＵＬとＤＬの両方の上で伝達される情報の変調のためのチャネル構造を定義し得る。たとえば、各キャリアは、１つまたは複数のフォーマッティングチャネル、１つまたは複数の制御チャネル、１つまたは複数のインジケータチャネル、１つまたは複数のデータチャネルなどを含み得る。各キャリアは、動作帯域内のキャリア周波数とチャネル番号との間の関係に基づいて、指定されたチャネル番号（たとえば、Ｅ−ＵＴＲＡ絶対無線周波数チャネル番号（ＥＡＲＦＣＮ：E-UTRA Absolute Radio Frequency Channel Number）など）を有し得る。
【００３５】
[0047]ＬＴＥ／ＬＴＥ−Ａは、ダウンリンク上の直交周波数分割多元接続（ＯＦＤＭＡ）とアップリンク上のシングルキャリア周波数分割多元接続（ＳＣ−ＦＤＭＡ）とを含む、マルチキャリア変調（ＭＣＭ）技法を利用する。各ＭＣＭキャリアは、一般にトーン、ビンなどとも呼ばれる、複数のサブキャリア（たとえば、直交サブキャリアなど）からなる波形信号であり得る。各サブキャリアは、情報（たとえば、基準信号、制御情報、オーバーヘッド情報、ユーザデータなど）で変調され得る。隣接するサブキャリア間の間隔は固定であり得、サブキャリアの総数（Ｋ）はキャリア帯域幅に依存し得る。たとえば、Ｋは、それぞれ、１．４、３、５、１０、１５、または２０メガヘルツ（ＭＨｚ）の（ガード帯域をもつ）対応するキャリア帯域幅に対して、１５キロヘルツ（ＫＨｚ）のサブキャリア間隔で、７２、１８０、３００、６００、９００、または１２００に等しくなり得る。キャリア帯域幅はまた、サブバンドに区分され得る。たとえば、サブバンドは１．０８ＭＨｚをカバーし得、キャリアは１つ、２つ、４つ、８つまたは１６個のサブバンドを有し得る。
【００３６】
[0048]ワイヤレス通信システム１００は、複数のセルまたはキャリア上での動作、すなわち、キャリアアグリゲーション（ＣＡ）またはマルチキャリア動作と呼ばれることがある特徴をサポートし得る。「コンポーネントキャリア」（ＣＣ）という用語は、ＣＡ動作においてＵＥによって利用される複数のキャリアの各々を指すことがあり、システム帯域幅の他の部分（たとえば、他のキャリアなど）とは別個であり得る。ＣＡ動作では、ＵＥ１１５は、より大きい動作帯域幅、および、たとえば、より高いデータレートを与えるために、複数のダウンリンクおよび／またはアップリンクＣＣをコンカレントに利用するように構成され得る。ＣＡ動作において使用されるＣＣは、任意の好適な帯域幅（たとえば、１．４、３、５、１０、１５、または２０メガヘルツ（ＭＨｚ）など）であり得、各個々のＣＣは、たとえば、ＬＴＥ規格のリリース８またはリリース９に基づいてシングルキャリアと同じ能力を与え得る。したがって、個々のＣＣは、レガシーＵＥ１１５（たとえば、ＬＴＥリリース８またはリリース９を実装するＵＥ１１５）との後方互換性があるが、ＣＡのために構成されたかまたはシングルキャリアモードにある他のＵＥ１１５（たとえば、リリース８／９後のＬＴＥバージョンを実装するＵＥ１１５）によっても利用され得る。代替的に、ＣＣは、他のＣＣと組み合わせて使用されるように構成され得、シングルキャリアモードをサポートするために使用されるいくつかのチャネル（たとえば、フォーマットまたは制御チャネルなど）を搬送しないことがある。ＣＡは、ＦＤＤコンポーネントキャリアとＴＤＤコンポーネントキャリアの両方とともに使用され得る。
【００３７】
[0049]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。たとえば、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。ＭＩＭＯ技法は、同じまたは異なるデータストリームがｅＮＢ１０５と単一のＵＥ１１５との間の複数のレイヤ上で通信される、シングルユーザＭＩＭＯ（ＳＵ−ＭＩＭＯ）と、複数のストリームが、空間的に区別可能なユーザに送信されるかまたは空間的に区別可能なユーザから受信され得る、マルチユーザＭＩＭＯ（ＭＵ−ＭＩＭＯ）とを含む。ＭＵ−ＭＩＭＯは、空間分割多元接続（ＳＤＭＡ）と呼ばれることもある。追加または代替として、異なるＵＥ１１５への送信が、周波数（たとえば、ＦＤＭＡ）、空間レイヤ（たとえば、ＳＤＭＡ）、または非直交多元接続（ＮＯＭＡ）技法によって区別され得る。使用され得る１つのＮＯＭＡ技法は、ＵＥ１１５間の電力分割であり、ここで、リソースのセットのための総送信電力が２つのＵＥ１１５間で分割される。さらに、ＭＩＭＯまたはＮＯＭＡ送信のための送信レイヤは、整合される（たとえば、（１つまたは複数の）同じ送信時間間隔中に同じリソースブロックを使用する）ことも整合されないこともある。ダウンリンク送信の場合、ｅＮＢ１０５による送信のために使用されるモードは、送信ストラテジー（ＴＳ）によって定義され得る。ダウンリンク送信のためのＴＳは、ＵＥ１１５へのリソースの割振りのためにこれらの技法のうちの１つまたは複数を使用し得る。
【００３８】
[0050]ＬＴＥ／ＬＴＥ−Ａでは、チャネル状態情報（ＣＳＩ）フィードバックは、ダウンリンク送信がチャネルの特性に基づいて適応的に最適化されることを可能にする。概して、ｅＮＢ１０５は、送信モード（ＴＭ）においてＵＥ１１５を構成し、これは、１つまたは複数の空間ダイバーシティ技法に応じた動作を含み、ＵＥ１１５が基準信号（たとえば、セル固有基準信号（ＣＲＳ）、ＣＳＩ基準信号（ＣＳＩ−ＲＳ）、ＵＥ固有基準信号（ＵＥ−ＲＳ）など）に対して測定を実行する、アンテナポートのセットを定義する。ＵＥは、ＴＭ依存であり得る推奨される送信フォーマットの形態でＣＳＩをフィードバックする。ＣＳＩフィードバックは、送信のために推奨されるレイヤの数を示す、ランクインジケータ（ＲＩ：rank indicator）と、ＲＩに対応するあらかじめ定義されたプリコーディングコードブック中の推奨されるプリコーディング行列のインデックスである、プリコーディング行列インジケータ（ＰＭＩ：precoding matrix indicator）と、プリコーディングタイプインジケータ（ＰＴＩ：precoding type indicator）と、報告されたＲＩ／ＰＭＩに対応するチャネル品質（たとえば、信号対雑音比（ＳＮＲ））の指示である、チャネル品質インジケータ（ＣＱＩ：channel quality indicator）とを含み得る。ＣＱＩは、あるブロックエラーレート（ＢＬＥＲ：block error rate）においてＵＥ１１５によって受信され得る最大トランスポートブロックサイズに変換し得る、コードレートおよび変調次数（たとえば、ＱＰＳＫ、１６ＱＡＭ、６４ＱＡＭなど）に対するインデックスとして定義され得る。ＵＥ１１５は、ｅＮＢ１０５からＣＳＩ要求を受信すると非周期的に、または、周期的に、ＣＳＩフィードバックを報告することができる。したがって、ＵＥ１１５は、概して、ＴＭによって定義されたアンテナポートに応じた（according to）ダウンリンクチャネルを測定し、所望のＴＳを選択し、所望のＴＳに対応するＣＳＩを報告する。しかしながら、ｅＮＢ１０５は、所与の送信間隔中での複数のＵＥ１１５への送信のために、選定するための多くのＴＳを有し得、異なるＵＥ１１５から報告されたＣＳＩは、組合せ可能でない、ＵＥ１１５によって選択されたＴＳを生じ得る。
【００３９】
[0051]実施形態では、ｅＮＢ１０５および／またはＵＥ１１５を含むシステム１００の構成要素は、第１のフィードバックスレッド中の非ＴＳ依存フィードバックと第２のフィードバックスレッド中のＴＳ依存フィードバックとを採用する（employ）、非直交チャネルのためのデュアルスレッドフィードバックのために構成される。本明細書で使用する、「非直交チャネル」は、直交レイヤと非直交レイヤの両方を含む可能な送信レイヤのためのマルチアンテナ送信機とマルチアンテナ受信機との間のキャリアのチャネルを含む。たとえば、キャリアのための非直交チャネルは、ＳＵ−ＭＩＭＯ、ＭＵ−ＭＩＭＯ、および／またはＮＯＭＡなどの送信技法のためのチャネルを含み得る。
【００４０】
[0052]第１のフィードバックスレッドは、チャネル測定（たとえば、チャネル利得、雑音共分散など）からのチャネルフィードバックを含み得、周期的にフィードバックされ得る。ｅＮＢ１０５は、送信のためのグループ化され得るＵＥ１１５のための組合せ可能なＴＳを含むチャネルフィードバックに基づいて、ＴＳ空間を決定し、ＴＳの１つまたは複数のセットをＵＥ１１５に送り得る。ＵＥ１１５は、ＴＳの１つまたは複数のセットのＴＳのサブセットのためのチャネル品質および／または他のＣＳＩを決定し、その後、ＴＳセットのうちの１つまたは複数のＴＳのためのチャネル品質をフィードバックし得る。場合によっては、ＵＥ１１５は、各ＴＳセットから１つまたは複数のＴＳを選択し、選択されたＴＳのためのチャネル品質をフィードバックし得る。ｅＮＢ１０５は、第１のフィードバックスレッドからのチャネルフィードバックおよび／または第２のフィードバックスレッドからのチャネル品質に基づいて、ＵＥ１１５への送信のスケジューリングを実行し得る。
【００４１】
[0053]図２は、本開示の様々な態様による、チャネルスケジューリングのためのデュアルスレッドフィードバックを採用し得る例示的なワイヤレス通信システム２００を示す。システム２００では、ＵＥ１１５−ａ、１１５−ｂ、１１５−ｃ、および１１５−ｄがｅＮＢ１０５−ａに接続され得る。
【００４２】
[0054]ｅＮＢ１０５−ａは、送信されるリソースを複数のＵＥ１１５へのダウンリンク送信のためにいくつかの方法で構成し得る。たとえば、ｅＮＢ１０５−ａは、ＵＥグループ２３０−ａによって示されているように、送信のためにＵＥ１１５−ａとＵＥ１１５−ｂとをペアリングまたはグループ化し得る。代替的に、ｅＮＢ１０５−ａは、ＵＥグループ２３０−ｂによって示されているように、送信のためにＵＥ１１５−ａとＵＥ１１５−ｃとをグループ化し得る。しかしながら、ｅＮＢ１０５−ａは、従来のＣＳＩフィードバックから、ＵＥのグループ化をどのように最適化すべきかを、決定することが可能でないことがある。たとえば、空間レイヤに関連するＵＥからのＣＳＩフィードバックは、他の空間レイヤが割り当てられ得る他のＵＥからの他のフィードバックと組合せ可能でないことがある、他の空間レイヤのために使用されるプリコーディングの仮定（assumption）を反映し得る。
【００４３】
[0055]場合によっては、ＵＥ１１５−ａは、空間レイヤ０とプリコーディング行列Ａとを使用してランク１送信を示すＣＳＩをフィードバックし得、ＵＥ１１５−ｂは、空間レイヤ１とプリコーディング行列Ａとを使用してランク１送信を示すＣＳＩをフィードバックし得る。この場合、ＵＥ１１５−ａおよび１１５−ｂからのＣＳＩフィードバックによって表されるＴＳは、組合せ可能であるので、ｅＮＢ１０５−ａは、それらのＣＳＩフィードバックとＣＳＩフィードバックによって予測されるＵＥ１１５−ａおよび１１５−ｂにおいて得られる（resulting）ＳＮＲとに従って、ＵＥ１１５−ａおよび１１５−ｂをスケジュールすることが可能であり得る。すなわち、ＵＥ１１５−ａおよび１１５−ｂからのＣＳＩフィードバックは、互換性があるＴＳに基づいて計算されたので、ＣＳＩフィードバックは、空間レイヤ０上のＵＥ１１５−ａに送信されるデータストリームのためにプリコーディング行列Ａを使用し、空間レイヤ１上のＵＥ１１５−ｂに送信されるデータストリームのためにプリコーディング行列Ａを使用して、ＵＥ１１５−ａおよび１１５−ｂへの送信のためのＳＮＲを正確に予測する。たとえば、ＵＥ１１５−ａからのＣＳＩフィードバックは、ＵＥ１１５−ｂを対象とする（intended for）ストリームに適用されるプリコーディング行列Ａを用いた送信を仮定した。したがって、ＵＥ１１５−ａによって選択されたＴＳのためのＵＥ１１５−ａからのＳＮＲフィードバック（たとえば、ＣＱＩ）は、ＵＥ１１５−ｂによって選択されたＴＳに従って送信された他の空間レイヤの存在によって受ける（seen）干渉を正確に反映することになるだろう。
【００４４】
[0056]しかしながら、他の場合には、ＵＥ１１５−ａおよびＵＥ１１５−ｂは、ｅＮＢ１０５−ａが空間ストリームのためのＳＮＲを正確に予測するのに十分な情報を与えない、ＣＳＩをフィードバックし得る。たとえば、ＵＥ１１５−ａは、空間レイヤ０とプリコーディング行列Ａとを使用してランク１送信を示すＣＳＩをフィードバックし得、ＵＥ１１５−ｂは、空間レイヤ１とプリコーディング行列Ｂとを使用してランク１送信を示すＣＳＩをフィードバックし得る。この場合には、プリコーディング行列Ａを空間レイヤ０上のＵＥ１１５−ａのためのストリームに、プリコーディング行列Ｂを空間レイヤ１上のＵＥ１１５−ｂのためのストリームに適用することが、ＵＥ１１５−ａおよび１１５−ｂにおける異なる干渉影響（たとえば、異なるＳＮＲ）をもたらし得、劣化した性能（たとえば、増加したＢＬＥＲなど）を生じ得る。また他の場合には、ＵＥ１１５−ａとＵＥ１１５−ｂの両方が、同じ空間レイヤと、同じまたは異なるプリコーディング行列とを要求することがあり、ｅＮＢ１０５−ａは、空間レイヤと、プリコーディング行列と、データストリームのためのＢＬＥＲの正確な予測のためのＣＱＩインデックスとの適切な割当てを決定することが可能でないことがある。
【００４５】
[0057]１つの代替の方式は、ｅＮＢ１０５が、ＴＳ空間全体にわたるキャリアのためのスケジューリングを最適化することができるように、ＵＥ１１５にフルチャネル測定情報をフィードバックさせることである。たとえば、ＵＥ１１５は、完全なチャネルのためのチャネル測定（たとえば、チャネル利得、雑音共分散など）を行い、フルチャネル測定情報をｅＮＢ１０５にフィードバックし得る。一例では、ＵＥは、ＮT×ＮRチャネル行列ＨとＮT×ＮR雑音共分散行列ＲNNとをフィードバックし得る。各ＵＥ１１５からフルチャネル測定情報を受信することは、ｅＮＢ１０５−ａが、ＴＳ空間にわたってＳＮＲを計算し、サービスされる（served）ＵＥのための選択されたＴＳを最適化することを可能にするが、フルチャネル測定情報のフィードバックは、ＵＥ１１５からｅＮＢ１０５−ａに大量の情報がフィードバックされることを必要とする。さらに、チャネル測定情報は、周波数選択性を考慮する必要があり得る。したがって、フルチャネル測定情報のフィードバックの場合、複数のサブバンドについてチャネル行列Ｈおよび雑音共分散行列ＲNNがフィードバックされる必要があり得、このことは、大量のフィードバックによるチャネル上での効率の損失を生じることがある。
【００４６】
[0058]図３は、本開示の様々な態様による、ワイヤレス通信システムにおけるデュアルスレッドフィードバックのための例示的なメッセージフロー３００を示す。図３は、ＵＥ１１５−ａと他のＵＥ１１５とのためのデュアルスレッドフィードバックを示しており、それは、たとえば、図２のシステム２００に示されているＵＥ１１５−ｂ、１１５−ｃ、および１１５−ｄを含み得る。
【００４７】
[0059]ｅＮＢ１０５−ａは基準信号３０５を送信し得、それは、ＣＲＳ、ＣＳＩ−ＲＳ、および／またはＵＥ−ＲＳを含み得、異なるアンテナポートから送信された同じタイプの複数の基準信号を含み得る。ＵＥ１１５−ａは、チャネル測定を実行し、第１のフィードバックスレッド中でチャネルフィードバック３１０−ａを与え得る。いくつかの実施形態では、第１のフィードバックスレッド中で与えられたチャネルフィードバック３１０−ａは、チャネル行列Ｈと雑音共分散行列ＲNNとから決定されたチャネル測定パラメータを含み得る。たとえば、ＵＥ１１５−ａは、チャネル測定行列ＭPを次のように計算し得る。
【００４８】
【数１】
0006337202.tif 000002
【００４９】
ただし、
Ｐは、プリコーディング行列である
Ｈは、ＮT×ＮRチャネル行列である
ＲNNは、雑音共分散行列である
ＸHは、Ｘの共役転置を示す。
したがって、チャネル測定行列ＭPは、ＮT×ＮTエルミート行列である。ＵＥ１１５−ａは、チャネル測定行列ＭPの構成要素のサブセットをフィードバックし得る。場合によっては、ＵＥ１１５−ａは、対角要素（実数値）と、非対角要素の１／２を表す複素数値のセットとをフィードバックし得る（他の要素は、セットの複素共役である）。たとえば、２つの送信アンテナをもつチャネルの場合、ＵＥ１１５−ａは、２つの実数値と１つの複素数値とをフィードバックし得る。４つの送信アンテナをもつチャネルの場合、ＵＥ１１５−ａは、４つの実数値と６つの複素数値とをフィードバックし得る。
【００５０】
[0060]ＵＥ１１５−ａからｅＮＢ１０５−ａに送られたチャネルフィードバック３１０−ａは、チャネル測定行列ＭPの構成要素の量子化表現であり得る。たとえば、ＵＥ１１５−ａは、量子化されたチャネル測定行列ＭP、またはチャネル測定行列ＭPの量子化された要素値をフィードバックし得る。
【００５１】
[0061]いくつかの実施形態では、チャネルフィードバック３１０は、時間および／または周波数領域において圧縮され得る。たとえば、チャネルフィードバック３１０は、周波数領域（たとえば、サブバンドなど）のためのまたは異なる報告時間期間のためのチャネル測定行列ＭPの要素のための増分値（たとえば、前に報告された値からの増分値など）を含み得る。
【００５２】
[0062]プリコーディング行列Ｐは、場合によっては、あらかじめ決定され（predetermined）得、デフォルト値（たとえば、単位行列）であり得る。ｅＮＢ１０５−ａは、基底変換を測定行列ＭPに適用することによって、異なるプリコーディング行列Ｐのためのチャネル測定行列を決定し得る。たとえば、基底Ｐ＝［Ｐ0  Ｐ1］に基づくプリコーディング行列のためのチャネル測定行列ＭPが報告され、別の基底Ｑ＝［Ｑ0  Ｑ1］のための測定が所望され、ここで、ＱがＰの線形結合、Ｑ＝ＰＴとして書かれ得る場合、チャネル測定行列ＭQは、ＭQ＝ＴHＭPＴとして決定され得る。
【００５３】
[0063]ｅＮＢ１０５−ａによってサービスされる他のＵＥ１１５はまた、チャネルフィードバック３１０−ｂを与え得る。チャネルフィードバック３１０は、ＵＥ１１５によって周期チャネルフィードバック報告中で与えられ得る。場合によっては、チャネルフィードバック３１０は、ＵＥ１１５からのアップリンクデータ送信（たとえば、ＰＵＳＣＨなど）と多重化され得る。
【００５４】
[0064]ｅＮＢ１０５−ａは、ブロック３１５において、ダウンリンク送信のための潜在的ＴＳに従ってＵＥをグループ化するために、第１のフィードバックスレッドによって与えられたチャネルフィードバック３１０を使用し得る。ｅＮＢ１０５−ａは、ダウンリンク送信のために使用されるために潜在的ＴＳを含むＴＳセット３２０を各ＵＥ１１５に送り得る。各ＵＥ１１５のためのＴＳセット３２０は、他のＵＥ１１５の異なるセット（たとえば、ペアリング、グループ化など）とともに、ＵＥ１１５の潜在的グループ化と対応する複数のＴＳを含み得る。ＴＳのためのグループ化されたＵＥ１１５は、送信時間間隔の間、少なくとも部分的に重複するリソース（たとえば、リソースブロック、サブバンドなど）に割り当てられる。たとえば、ｅＮＢ１０５−ａは、図２に示されているように、ＭＵ−ＭＩＭＯのためのＵＥグループ２３０−ａを含むＴＳ  Ａと、ＭＵ−ＭＩＭＯのためのＵＥグループ２３０−ｂを含むＴＳ  Ｂとを決定し得る。ＴＳ  Ａは、プリコーディング行列Ｐ1を使用した第１の空間レイヤ上でのＵＥ１１５−ａへの第１のデータストリームの送信と、プリコーディング行列Ｐ1を使用した第２の空間レイヤ上でのＵＥ１１５−ｂへの第２のデータストリームの送信とを含み得る。ＴＳ  Ｂは、プリコーディング行列Ｐ2を使用した第１の空間レイヤ上でのＵＥ１１５−ａへの第１のデータストリームの送信と、プリコーディング行列Ｐ3を使用した第２の空間レイヤ上でのＵＥ１１５−ｃへの第２のデータストリームの送信とを含み得る。ＴＳセット中の各ＴＳは、選択されたリソース（たとえば、サブバンドなど）と、ランクと、プリコーディング行列と、電力分割と、干渉消去（ＩＣ）がＳＮＲの計算のために仮定されるかどうかとを含み得る。
【００５５】
[0065]ＵＥ１１５は、ＴＳセット３２０を受信し得、ＴＳセット３２０中のＴＳのうちの１つまたは複数のためのＣＳＩ３３０を報告することを含む、第２のフィードバックスレッドを実行し得る。たとえば、ＵＥ１１５−ａは、ブロック３２５において、ＴＳセット３２０中のＴＳのためのＣＳＩを決定し得、ＴＳセット３２０のうちのＴＳのうちの１つまたは複数のためのＣＳＩ３３０−ａを報告し得る。ＣＳＩ３３０−ａは、たとえば、選択されたＴＳのためのＲＩ、ＰＭＩ、および／またはＣＱＩを含み得る。場合によっては、ＵＥ１１５は、最も高いＳＮＲを与える１つまたは複数のＴＳを選択し得る。たとえば、ＴＳセット３２０はＴＳ  ＡとＴＳ  Ｂとを含み得、ＵＥ１１５−ａは、ＴＳ  Ｂの場合よりもＴＳ  Ａのパラメータの下でＳＮＲがより高いと決定したことに基づいて、ＴＳ  ＡのためのＣＳＩ３３０を報告し得る。同様に、他のＵＥ１１５は、それらのそれぞれのＴＳセット３２０のうちの１つまたは複数のＴＳのためのＣＳＩ３３０−ｂを報告し得る。
【００５６】
[0066]ＵＥ１１５によって選択されたＴＳのための受信されたＣＳＩ３３０に基づいて、ｅＮＢ１０５−ａは、性能および／または効率を最適化するためにスケジューリング３３５を実行し得る。ｅＮＢ１０５−ａは、次いで、報告されたＣＳＩ３３０に基づいて、ＵＥ１１５−ａを含むＵＥ１１５にＤＬ送信３４０を送信し得る。ＤＬ送信３４０は、ＳＵ送信（たとえば、ＦＤＭＡ、ＳＵ−ＭＩＭＯなど）および／またはＭＵ送信（たとえば、ＮＯＭＡ、ＭＵ−ＭＩＭＯなど）を含み得る。
【００５７】
[0067]追加または代替として、ｅＮＢ１０５−ａは、第１のチャネルフィードバックスレッドに基づいてスケジューリングを実行し得る。ｅＮＢ１０５−ａは、チャネルフィードバック３１０から様々なＴＳのための最小平均２乗誤差（ＭＭＳＥ）ＳＮＲを計算し得る。たとえば、ＵＥ  Ａへのランク１送信についてＭＭＳＥ  ＳＮＲは以下のように計算され得る。
【００５８】
【数２】
0006337202.tif 000003
【００５９】
ただし、
ＭPAは、ＵＥ  ＡのためのＭP行列である
αは、電力分割比である
[0068]ＵＥ  Ｂのためのランク２送信のためのＭＭＳＥ  ＳＮＲは、以下のように決定され得る。
【００６０】
【数３】
0006337202.tif 000004
【００６１】
ただし、
ＭPBは、ＵＥ  ＢのためのＭP行列である
αは、電力分割比である
[0069]ｅＮＢ１０５−ａは、同様に、チャネルフィードバック３１０に基づいて、ＵＥ１１５のための干渉消去を用いておよび干渉消去を用いずにＳＮＲを決定し得る。
【００６２】
[0070]ｅＮＢ１０５−ａは、チャネル状態がＵＥ１１５に関して変化したかどうかを決定するために、フィードバックを監視し得る。たとえば、ｅＮＢ１０５−ａは、ＵＥ１１５からのチャネル品質を監視し得、チャネル状態が変化した（たとえば、チャネル状態の変化がしきい値を超えるなど）場合、チャネルフィードバック３１０の更新（たとえば、非周期要求など）をトリガし得る。
【００６３】
[0071]説明しやすいように、図３は、同時に生じる第１のフィードバックスレッドのためのチャネルフィードバック３１０−ａとチャネルフィードバック３１０−ｂとを示している。しかしながら、チャネルフィードバック３１０は、異なるＵＥから異なる時間に与えられ得ることを理解されたい。たとえば、各ＵＥ１１５は、周期的フィードバックスケジュールに応じたチャネルフィードバック３１０の周期報告のために構成され得、チャネルフィードバック３１０の送信は、異なる時間に行われ（occur）得る。同様に、ＵＥ１１５への送信ストラテジー３２０の送信およびＣＳＩ３３０の受信はまた、異なるＵＥについて異なる時間に行われ得る。さらに、図３は、チャネルフィードバック３１０とＣＳＩ３３０とに基づくＤＬ送信３４０の一例を示している。しかしながら、ｅＮＢ１０５−ａは、追加のチャネルフィードバック３１０および／またはＣＳＩ３３０に基づいて、（たとえば、後続のフレームまたはサブフレームなどのための）送信を継続的にスケジュールし得ることを理解されたい。
【００６４】
[0072]いくつかの実施形態では、ｅＮＢ１０５−ａは、ＴＳを複数のＴＳセットにグループ化し得、ＵＥ１１５は、各ＴＳセットからの１つまたは複数のＴＳに関連するＣＳＩフィードバックを与え得る。図４に、本開示の態様による、デュアルスレッドフィードバックのためのＵＥ１１５によって受信された複数のＴＳセットの一例の図４００を示す。たとえば、図３に示されているＴＳセット３２０は、図４のＴＳセット４２０を含み得る。ＴＳは、多元接続技法、送信モード、および／またはＣＳＩフィードバックのタイプによってＴＳセット４２０にグループ化され得る。
【００６５】
[0073]図４では、ＵＥ１１５は、シングルユーザＴＳ（たとえば、送信ダイバーシティ、閉ループ空間多重化など）とＮＯＭＡ技法を使用するマルチユーザＴＳとを含み得る、ＴＳセット０  ４２０−ａを受信し得る。たとえば、ＴＳ  Ａ４２５−ａは、ＵＥがＳＵモード（たとえば、ランク１、ランク２など）で動作することができるＴＳであり得、ＴＳ  Ｂ４２５−ｂは、ＵＥ１１５と、異なるＵＥ１１５と、の間で電力が分割されるＮＯＭＡ方式であり得る。ＴＳセット０  ４２０−ａの場合、ＵＥ１１５は、フィードバックのためのＴＳセット０のうちの１つまたは複数のＴＳを選択し得、フィードバックが与えられる各ＴＳのためのＲＩと、ＰＭＩと、ＣＱＩとを含むＣＳＩ報告をフィードバックし得る。
【００６６】
[0074]ＴＳセット１  ４２０−ｂは、データＩＣが適用されたおよびデータＩＣが適用されない、ランク１  ＳＤＭＡのためのＴＳを含み得る。たとえば、ＴＳセット１  ４２０−ｂは、ＴＳ  Ｃ４２５−ｃとＴＳ  Ｄ４２５−ｄとを含み得、それらは、それぞれ、ＩＣを用いたおよびＩＣを用いない直交空間レイヤを使用するランク１  ＴＳであり得る。ＵＥ１１５は、フィードバックのためのＴＳセット１  ４２０−ｂのうちの１つまたは複数のＴＳを選択し得、フィードバックが与えられる各ＴＳのためのＰＭＩとＣＱＩとを含むＣＳＩ報告をフィードバックし得る。
【００６７】
[0075]ＴＳセット２  ４２０−ｃは、ＮＯＭＡ技法の組合せのためのＴＳを含み得る。たとえば、ＴＳセット２  ４２０−ｃは、ＵＥ１１５のためのランク１またはランク２であり得る、ＴＳ  Ｅ４２５−ｅとＴＳ  Ｆ４２５−ｆとを含み得、異なるＵＥ１１５への送信を多重化するために、一方または両方の空間レイヤ上でＮＯＭＡ技法を使用し得る。ＵＥ１１５は、フィードバックのためのＴＳセット２  ４２０−ｃのうちの１つまたは複数のＴＳを選択し得、フィードバックが与えられる各ＴＳのためのＲＩと、ＰＭＩと、ＣＱＩとを含むＣＳＩ報告をフィードバックし得る。
【００６８】
[0076]図５は、本開示の様々な態様による、ワイヤレス通信のためのデュアルスレッドフィードバックのための方法５００の流れ図を示す。明快のために、方法５００が、図１、図２、図３、図９または図１３を参照しながら説明するＵＥ１１５のうちの１つまたは複数の態様、および／あるいは図７または図８を参照しながら説明するデバイスのうちの１つまたは複数の態様に関して以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して以下で説明する機能のうちの１つまたは複数を実行し得る。
【００６９】
[0077]方法５００は、第１のフィードバックスレッド５０５と第２のフィードバックスレッド５１０とを含み得る。第１のフィードバックスレッド５０５では、ＵＥ１１５は、ブロック５１５において、サービングｅＮＢ１０５からキャリア上で送信された基準信号（たとえば、ＣＲＳ、ＣＳＩ−ＲＳ、ＵＥ−ＲＳなど）を受信する。ブロック５１５において受信された基準信号は、異なるアンテナポート上で送信された基準信号を含み得る。
【００７０】
[0078]ブロック５２０において、ＵＥ１１５は、キャリアの非直交チャネルについて報告するためのチャネルフィードバックを決定する。たとえば、ＵＥ１１５は、図３を参照しながら上記で説明したように、チャネル行列Ｈと雑音共分散行列ＲNNとを測定し得、チャネル行列Ｈと雑音共分散行列ＲNNとに基づいてチャネル測定行列ＭPを決定し得る。チャネル測定行列ＭPは、あらかじめ決定されたプリコーディング行列、またはデフォルト行列（たとえば、単位行列）を使用して決定され得る。
【００７１】
[0079]ブロック５２５において、ＵＥ１１５は、サービングｅＮＢ１０５へのキャリアについてチャネルフィードバックを報告する。たとえば、ＵＥは、ブロック５２５において、チャネルフィードバックの周期報告を実行し得る。ブロック５２５において報告されたチャネルフィードバックは、チャネル測定行列ＭPの要素（たとえば、実数値、複素数値の一部分または全部など）を含み得る。報告されたチャネルフィードバックは量子化され得る（たとえば、チャネル測定行列コードブックに対する量子化されたインデックス、またはチャネル測定行列ＭPの量子化された要素値など）。
【００７２】
[0080]第２のフィードバックスレッドは、ブロック５３０において、１つまたは複数のＴＳセットを受信することによって開始され得る。たとえば、ＵＥは複数のＴＳセットを受信し得、ここで、各ＴＳセットは１つまたは複数のＴＳを含む。ＴＳは、多元接続技法および／または送信モードによって複数のＴＳセットにグループ化され得る。第２のフィードバックスレッドは、非周期フィードバック要求の受信時に開始され得、非周期フィードバック要求は、要求されたＣＳＩフィードバックのための１つまたは複数のＴＳセットを含み得る。
【００７３】
[0081]ブロック５３５において、ＵＥ１１５は、ＴＳセットのうちのＴＳのための部分的なまたは完全なＣＳＩフィードバックを決定し得る。たとえば、ＵＥは、ＴＳのためのＲＩ、ＣＱＩ、ＰＴＩ、および／またはＰＭＩを決定し得る。場合によっては、ＴＳセットのうちのＴＳは、多元接続技法（たとえば、ＮＯＭＡ、ＳＤＭＡなど）を示し得、ＵＥ１１５は、同じ空間レイヤまたは異なる（たとえば、直交など）空間レイヤ上の干渉ストリームを仮定して、ＣＳＩを決定し得る。ＴＳのためのＣＱＩは、場合によっては、セル内データＩＣを用いておよび／またはセル内データＩＣを用いずに決定され得る。
【００７４】
[0082]ブロック５４０において、ＵＥ１１５は、ＴＳセットのうちのＴＳのサブセットのための部分的なまたは完全なＣＳＩを報告し得る。たとえば、ＵＥ１１５は、各ＴＳセットから１つまたは複数のＴＳ（たとえば、最も高いＳＮＲをもつＴＳなど）を選択し、選択されたＴＳのためのＣＳＩを報告し得る。場合によっては、ブロック５４０におけるＣＳＩ報告（CSI reporting）は、制御チャネル（たとえば、ＰＵＣＣＨなど）またはデータチャネル（たとえば、ＰＵＳＣＨなど）を介して送信され得る。
【００７５】
[0083]ブロック５４５において、ＵＥ１１５は、ＤＬ送信のためのスケジューリング情報を受信し得る。ＤＬ送信は、第１のフィードバックスレッド５０５のチャネルフィードバックに基づいて、および／または第２のフィードバックスレッド５１０のＣＳＩ報告に基づいて、サービングｅＮＢ１０５−ａによってスケジュールされ得る。たとえば、場合によっては、サービングｅＮＢ１０５は、ＵＥ１１５からの第１のフィードバックスレッド中のチャネルフィードバックに基づいて、複数のＵＥ１１５へのＤＬ送信のＳＮＲを正確に予測することが可能であり得、第２のフィードバックスレッドを使用してさらなるフィードバックを要求することなしに、送信のスケジューリングを実行し得る。他の事例では、サービングｅＮＢ１０５は、送信のためのＵＥグループ化を決定し、第２のフィードバックスレッドを使用して潜在的ＵＥグループ化に関連するＴＳのためのＣＳＩフィードバックを要求し得る。
【００７６】
[0084]ブロック５５０において、ＵＥ１１５は、サービングｅＮＢ１０５からＤＬ送信を受信する。ＤＬ送信は、ブロック５４０において送られたＣＳＩフィードバックに従って受信され得る。たとえば、ＵＥ１１５は、ブロック５４０において、ＴＳのためのＣＱＩを報告し、ブロック５５０におけるＤＬ送信は、選択されたＴＳのための報告されたＣＱＩを使用して受信され得る。
【００７７】
[0085]いくつかの事例では、ＵＥ１１５は、ブロック５５５において、受信されたＤＬ送信にＩＣを適用し得る。たとえば、ＵＥ１１５は、ブロック５４０において、別のＵＥへのデータ送信のデータＩＣ（たとえば、異なる空間レイヤ、電力分割など）を仮定して、ＴＳのためのＣＳＩフィードバックを報告し、ブロック５５５において、報告されたＣＱＩにおいて所望のＢＬＥＲを達成するために干渉送信を消去するためにデータＩＣが適用され得る。ブロック５６０において、ＵＥ１１５は、ＵＥ１１５を対象とするデータストリームを復号し得る。ＵＥ１１５は、知られている技法に従って復号データストリームのためのＨＡＲＱプロセスを実行し得る。
【００７８】
[0086]図６は、本開示の様々な態様による、ワイヤレス通信のためのデュアルスレッドフィードバックのための方法６００の流れ図を示す。明快のために、方法６００について、図１、図２、図３を参照しながら説明したｅＮＢ１０５のうちの１つまたは複数の態様、および／あるいは図７、図８、図１０、図１１を参照しながら説明するデバイスのうちの１つまたは複数の態様に関して以下で説明する。いくつかの例では、ｅＮＢ１０５は、以下で説明する機能を実行するためにｅＮＢ１０５の機能要素を制御するためのコードの１つまたは複数のセットを実行し得る。追加または代替として、ｅＮＢ１０５は、専用ハードウェアを使用して以下で説明する機能のうちの１つまたは複数を実行し得る。
【００７９】
[0087]ブロック６０５において、ｅＮＢ１０５は、ｅＮＢ１０５によってサービスされるＵＥ１１５のための第１のフィードバックスレッドに従ってチャネルフィードバックを受信し得る。各ＵＥ１１５からのチャネルフィードバックは、たとえば、チャネル測定行列ＭPまたはチャネル測定行列ＭPの要素であり得る。チャネルフィードバックは量子化され得る（たとえば、チャネル測定行列コードブックに対する量子化されたインデックス、またはチャネル測定行列ＭPの量子化された要素値など）。
【００８０】
[0088]ブロック６１０において、ｅＮＢ１０５は、第１のフィードバックスレッド中で受信されたチャネルフィードバックからサービスされるＵＥのためのＳＮＲが正確に決定されることができるかどうかを決定し得る。いくつかの事例では、第１のフィードバックスレッド中で受信されたチャネルフィードバックは、ＴＳのためのＵＥのグループ化と潜在的ＴＳとを決定するのに十分な情報を与え得るが、潜在的ＴＳのための正確なＳＮＲを計算するのに十分な情報を与えないことがある。さらに、スケジューリングを最適化するために、シングルユーザＴＳのために、第１のフィードバックスレッドから計算されたＳＮＲを、報告されたＣＳＩと比較することが有益であり得る。したがって、ＵＥのセットのためのＳＮＲが、正確に決定されることができ、他のＵＥのための潜在的ＴＳを補完する（is complementary to）場合、ブロック６１５において、特定のＴＳのためのＣＳＩフィードバックを要求することなしに、ＵＥのセットのためのスケジューリングがｅＮＢ１０５によって実行され得る。
【００８１】
[0089]追加または代替として、ｅＮＢ１０５は、ブロック６２０において、第１のフィードバックスレッドからのチャネルフィードバックに基づいて、ＴＳのためにＵＥをグループ化し得る。ｅＮＢ１０５は、ＴＳ空間を複数のＴＳセットに分割し得、これは、最適化されたＵＥグループを与えるＴＳを見つける見込みを改善し得る。潜在的ＴＳは、多元接続技法（たとえば、シングルユーザ、ＮＯＭＡ、ＳＤＭＡなど）、送信モードおよび／またはＣＳＩフィードバックのタイプに従って、ＴＳセットにアセンブルされ得る。
【００８２】
[0090]ブロック６２５において、ｅＮＢ１０５は、ＴＳセットをＵＥ１１５に送り得る。たとえば、ｅＮＢ１０５は、第２のフィードバックスレッドに関連するＣＳＩフィードバック要求中でＴＳセットを送り得る。ｅＮＢ１０５は、制御情報（たとえば、ＤＣＩ、ＭＡＣ制御要素など）中のまたはデータに付加されたＴＳセットを送り得る。
【００８３】
[0091]ブロック６３０において、ｅＮＢ１０５は、第２のフィードバックスレッド中でＵＥ１１５からＴＳセットのうちの１つまたは複数のＴＳのためのＣＳＩを受信し得る。ＣＳＩフィードバックは、１つまたは複数のＴＳのためのチャネル品質（たとえば、ＣＱＩなど）を含み得る。ＣＳＩフィードバックは、場合によっては、ＲＩ、ＰＭＩ、および／またはＰＴＩを含み得る。
【００８４】
[0092]ブロック６３５において、ｅＮＢ１０５は、ｅＮＢ１０５によってサービスされるＵＥ１１５への送信のための第２のフィードバックスレッド中で受信されたＣＳＩ報告に基づいて、ＴＳセットからＴＳを選択する。ブロック６３５におけるＴＳ選択およびスケジューリングはまた、ブロック６０５において受信された第１のフィードバックスレッドからのチャネルフィードバックに基づき得る。たとえば、ＵＥが、第２のフィードバックスレッド中で互換性のないＴＳを選択したとき、ｅＮＢは、ブロック６３５において、ＴＳ選択およびスケジューリングを実行するために、第２のフィードバックスレッド中で与えられたＣＳＩおよび／または第１のフィードバックスレッドからのチャネルフィードバックを使用し得る。したがって、ｅＮＢによってサービスされるＵＥ１１５のための選択されたＴＳは、場合によっては、ブロック６２５においてＵＥ１１５に送られたＴＳセットからのＴＳのみを含み得るか、または、ＴＳセット中にないＴＳを含み得る。
【００８５】
[0093]ブロック６４０において、ＵＥは、ブロック６１５および／または６３５におけるスケジューリングに従って、１つまたは複数のサービスされるＵＥにダウンリンクデータ送信を送信し得る。データ送信は、選択されたＴＳのうちの１つまたは複数に従って送信され得、第２のフィードバックスレッド中で受信されたＣＳＩに従って実行され得る。たとえば、第２のフィードバックスレッド中でＵＥから受信されたチャネル品質は、データ送信のために使用され得る。データ送信は、関連する制御情報によってＵＥ１１５にシグナリングされ得る。
【００８６】
[0094]図７は、本開示の様々な態様による、ワイヤレス通信システムにおけるデュアルスレッドフィードバックのためのデバイス７０５のブロック図７００を示す。デバイス７０５は、図１、図２、図３を参照しながら説明したＵＥ１１５の１つまたは複数の態様の一例であり得る。デバイス７０５は、受信機７１０と、送信機７２０と、チャネル測定フィードバック構成要素（component）７３０と、チャネル品質フィードバック構成要素７４０とを含み得る。デバイス７０５はまた、プロセッサ（図示せず）であるか、またはそれを含み得る。これらの構成要素の各々は互いと通信していることがある。
【００８７】
[0095]受信機７１０は、パケット、ユーザデータ、ならびに／あるいは、様々な信号（たとえば、基準信号など）および／または情報チャネル（たとえば、制御チャネル、データチャネルなど）に関連する制御情報などの情報を受信するように動作可能な少なくとも１つの無線周波数（ＲＦ）受信機を含み得る。受信機７１０は、複数のアンテナを有し、様々なアンテナポートに関連する基準信号（たとえば、ＣＲＳ、ＣＳＩ−ＲＳ、ＵＥ−ＲＳなど）などの信号を受信し、空間レイヤ間の雑音共分散およびチャネル利得などのチャネル測定値を計算するように構成され得る。受信機７１０は、チャネル測定値７１５をチャネル測定フィードバック構成要素７３０に渡し（pass）得る。
【００８８】
[0096]チャネル測定フィードバック構成要素７３０は、チャネル測定値７１５を処理し、第１のフィードバックスレッドに従ってフィードバック報告を実行するように構成され得る。たとえば、チャネル測定フィードバック構成要素７３０は、チャネル測定値７１５からチャネル行列Ｈと雑音共分散行列ＲNNとを決定し得る。チャネル測定フィードバック構成要素７３０は、チャネル行列Ｈと雑音共分散行列ＲNNとに基づいて、チャネル測定行列ＭPを決定し得る。チャネル測定行列ＭPは、あらかじめ決定されたプリコーディング行列、またはデフォルト行列（たとえば、単位行列）を使用して決定され得る。チャネル測定フィードバック構成要素７３０は、チャネルフィードバック報告７２５を送信機７２０に渡すことによって、チャネルフィードバックの周期報告を実行し得る。送信機７２０は、チャネルフィードバック報告７２５をサービングｅＮＢ１０５に送信し得、サービングｅＮＢ１０５に送信されたデータでチャネルフィードバック報告７２５を多重化し得る。チャネルフィードバック報告７２５中で報告されたチャネルフィードバックは、チャネル測定行列ＭPの要素（たとえば、実数値、複素数値の一部分または全部など）を含み得る。報告されたチャネルフィードバックは量子化され得る（たとえば、チャネル測定行列コードブックに対する量子化されたインデックス、またはチャネル測定行列ＭPの量子化された要素値など）。
【００８９】
[0097]チャネル品質フィードバック構成要素７４０は、サービングｅＮＢ１０５から（たとえば、受信機７１０を介して）受信されたＴＳのセットのためのチャネル品質を決定するための処理を実行し得る。たとえば、チャネル品質フィードバック構成要素７４０は、複数のＴＳセットを受信し得、ここで、各ＴＳセットは１つまたは複数のＴＳを含む。ＴＳは、多元接続技法および／または送信モードによって複数のＴＳセットにグループ化され得る。第２のフィードバックスレッドは、非周期フィードバック要求の受信時に開始され得、非周期フィードバック要求は、要求されたＣＳＩフィードバックのための１つまたは複数のＴＳセットを含み得る。
【００９０】
[0098]チャネル品質フィードバック構成要素７４０は、受信機７１０からチャネル測定値７１５を受信し得、ＴＳセットのうちのＴＳのためのＣＳＩフィードバックを決定し得る。たとえば、チャネル品質フィードバック構成要素７４０は、ＴＳのためのＲＩ、ＣＱＩ、ＰＴＩ、および／またはＰＭＩを決定し得る。場合によっては、ＴＳセットのうちのＴＳは、多元接続技法（たとえば、ＮＯＭＡ、ＳＤＭＡなど）を示し得、チャネル品質フィードバック構成要素７４０は、同じ空間レイヤまたは異なる（たとえば、直交など）空間レイヤ上の干渉ストリームを仮定して、ＣＳＩを決定し得る。ＴＳのためのＣＱＩは、場合によっては、セル内データＩＣを用いておよび／またはセル内データＩＣを用いずに決定され得る。チャネル品質フィードバック構成要素７４０は、ＣＳＩフィードバック報告７４５を送信機７２０に渡すことによって、ＴＳセットのうちのＴＳのサブセットのためのＣＳＩフィードバックを報告し得る。たとえば、チャネル品質フィードバック構成要素７４０は、各ＴＳセットから１つまたは複数のＴＳ（たとえば、最も高いＳＮＲをもつＴＳなど）を選択し、選択されたＴＳのためのＣＳＩを報告し得る。場合によっては、送信機７２０は、ＣＳＩフィードバック報告７４５を物理的制御チャネル（たとえば、ＰＵＣＣＨなど）を介して送信し得る。
【００９１】
[0099]送信機７２０は、上記で説明したように、デバイス７０５の他の構成要素から受信された１つまたは複数の信号を送信するように動作可能な少なくとも１つのＲＦ送信機を含み得る。いくつかの例では、送信機７２０は、トランシーバにおいて受信機７１０とコロケートされ得る。
【００９２】
[0100]図８は、本開示の様々な態様による、ワイヤレス通信システムにおけるデュアルスレッドフィードバックのためのデバイス７０５−ａのブロック図８００を示す。デバイス７０５−ａは、図１、図２、図３、図９または図１３を参照しながら説明するＵＥ１１５の１つまたは複数の態様の一例であり得る。デバイス７０５−ａは、図７を参照しながら説明したデバイス７０５の一例であり得る。デバイス７０５−ａは、受信機７１０−ａと、送信機７２０−ａと、チャネル測定フィードバック構成要素７３０−ａと、チャネル品質フィードバック構成要素７４０−ａとを含み得、これらは、デバイス７０５の対応する構成要素の一例であり得る。デバイス７０５−ａはプロセッサをも含み得る（図示せず）。これらの構成要素の各々は互いと通信していることがある。チャネル測定フィードバック構成要素７３０−ａは、チャネルフィードバック行列構成要素８３５および／またはフィードバック圧縮構成要素８４０を含み得る。受信機７１０−ａおよび送信機７２０−ａは、それぞれ、図７の受信機７１０および送信機７２０の機能を実行し得る。たとえば、受信機７１０−ａは、受信された信号（たとえば、ＣＲＳ、ＣＳＩ−ＲＳ、ＵＥ−ＲＳなど）から、図７のチャネル測定値７１５であり得るチャネル測定値７１５−ａを生成し得る。
【００９３】
[0101]チャネルフィードバック行列構成要素８３５は、上記で説明したように、チャネル行列Ｈと雑音共分散行列ＲNNとに基づいて、チャネル測定行列ＭPを計算し得る。チャネル測定行列ＭPは、あらかじめ決定されたプリコーディング行列、またはデフォルト行列（たとえば、単位行列）を使用して決定され得る。
【００９４】
[0102]フィードバック圧縮構成要素８４０は、チャネルフィードバック報告７２５−ａ中で報告されるべきチャネルフィードバックに対して圧縮を実行し得る。たとえば、フィードバック圧縮構成要素８４０は、時間および／または周波数領域においてチャネルフィードバックを圧縮し得る。たとえば、チャネルフィードバック報告７２５−ａは、周波数領域（たとえば、サブバンドなど）のためのまたは異なる報告時間期間のためのチャネル測定行列ＭPの要素のための増分値（たとえば、前に報告された値からの増分値など）を含み得る。
【００９５】
[0103]ＴＳセレクタ８４５は、第２のフィードバックスレッドのためのＴＳセットのうちのＴＳを選択し得る。たとえば、ＴＳセレクタ８４５は、第２のフィードバックスレッド中で報告されるべき各ＴＳセットから１つまたは複数のＴＳを選択し得る。ＴＳセレクタ８４５は、各ＴＳセットから最も高いＳＮＲを与える１つまたは複数のＴＳを選択し得る。
【００９６】
[0104]図７または図８のデバイス７０５の構成要素の機能は、全体的にまたは部分的に、１つまたは複数の汎用または特定用途向けプロセッサ（たとえば、ＣＰＵ、コアなど）によって実行されるようにフォーマットされた、メモリに組み込まれた命令を用いて実装され得る。たとえば、説明する構成要素は、１つまたは複数のプロセッサ上で実行するためにコンパイルされ得るか、あるいは１つまたは複数のプロセッサによってランタイムにおいて解釈され得る、１つまたは複数の機能、サブルーチン、クラス、モジュール、および／またはパッケージに組み込まれた命令を表し得る。追加または代替として、デバイス７０５の様々な構成要素は、当技術分野で知られている任意の様式でプログラム（たとえば、ハードウェア記述言語（ＨＤＬ）から構成、合成など）され得る、１つまたは複数の特定用途向け集積回路（ＡＳＩＣ）、フィールドプログラマブルゲートアレイ（ＦＰＧＡ）、および／あるいは他のセミカスタム構成要素または集積回路（ＩＣ）を使用して、ハードウェア（たとえば、回路など）で個々にまたはまとめて実装され得る。
【００９７】
[0105]図９は、本開示の様々な態様による、ワイヤレス通信システムにおけるデュアルスレッドフィードバックのために構成されたＵＥ１１５−ｅのブロック図９００を示す。ＵＥ１１５−ｅは、図１、図２、図３または図１３のＵＥ１１５の一例であり得る。ＵＥ１１５−ｅはまた、図７および図８のデバイス７０５の１つまたは複数の態様の一例であり得る。
【００９８】
[0106]ＵＥ１１５−ｅは、概して、通信を送信するための構成要素と通信を受信するための構成要素とを含む、双方向音声およびデータ通信のための構成要素を含み得る。ＵＥ１１５−ｅは、（１つまたは複数の）アンテナ９４０と、（１つまたは複数の）トランシーバ９３５と、（１つまたは複数の）プロセッサ９０５と、（ソフトウェア（ＳＷ）９２０を含む）メモリ９１５とを含み得、それらはそれぞれ、（たとえば、１つまたは複数のバス９４５を介して）直接的または間接的に互いに通信し得る。（１つまたは複数の）トランシーバ９３５は、上記で説明したように、（１つまたは複数の）アンテナ９４０、および／あるいは１つまたは複数のワイヤードまたはワイヤレスリンクを介して、１つまたは複数のネットワークと双方向に通信するように構成され得る。たとえば、（１つまたは複数の）トランシーバ９３５は、基地局１０５および／または他のＵＥ１１５と双方向に通信するように構成され得る。（１つまたは複数の）トランシーバ９３５は、パケットを変調し、変調されたパケットを送信のために（１つまたは複数の）アンテナ９４０に与え、（１つまたは複数の）アンテナ９４０から受信されたパケットを復調するように構成されたモデムを含み得る。ＵＥ１１５−ｅは、複数のワイヤレス送信（たとえば、ＭＩＭＯ送信、ＮＯＭＡ送信など）を同時に送信することおよび／または受信することが可能な複数のアンテナ９４０を有し得る。（１つまたは複数の）トランシーバ９３５は、複数のコンポーネントキャリアを介して１つまたは複数の基地局１０５と同時に通信することが可能であり得る。
【００９９】
[0107]ＵＥ１１５−ｅは、チャネル測定フィードバック構成要素７３０−ｂと、チャネル品質フィードバック構成要素７４０−ｂとを含み得、これらは、第１のフィードバックスレッド中でチャネル情報を与えることと、ＴＳセットを受信することと、ＴＳセットのうちの１つまたは複数のＴＳのために第２のフィードバックスレッド中でチャネル品質フィードバックを与えることとに関係する、図７および図８を参照しながら上記で説明した特徴および／または機能の一部または全部を実行および／または制御するように構成され得る。いくつかの例では、チャネル測定フィードバック構成要素７３０−ｂおよびチャネル品質フィードバック構成要素７４０−ｂは、ソフトウェア／ファームウェアコード９２０の一部であり得、（１つまたは複数の）プロセッサ９０５に本明細書で説明する様々な機能（たとえば、チャネル測定行列を決定すること、フィードバック情報を量子化すること、周期チャネル情報報告を与えること、チャネル品質要求を受信すること、ＴＳセットを受信すること、ＴＳのサブセットのためのチャネル品質フィードバックを与えることなど）を実行させるように構成された命令を含み得る。チャネル測定フィードバック構成要素７３０−ｂおよびチャネル品質フィードバック構成要素７４０−ｂは、図７および図８を参照しながら説明したチャネル測定フィードバック構成要素７３０およびチャネル品質フィードバック構成要素７４０の例であり得る。
【０１００】
[0108]メモリ９１５は、ランダムアクセスメモリ（ＲＡＭ）および読取り専用メモリ（ＲＯＭ）を含み得る。メモリ９１５は、実行されたとき、（１つまたは複数の）プロセッサ９０５に本明細書で説明する様々な機能を実行させるように構成された命令を含んでいるコンピュータ可読、コンピュータ実行可能ソフトウェア／ファームウェアコード９２０を記憶し得る。代替的に、コンピュータ可読、コンピュータ実行可能ソフトウェア／ファームウェアコード９２０は、（１つまたは複数の）プロセッサ９０５によって直接的に実行可能でないことがあるが、（たとえば、コンパイルされ実行されたとき）コンピュータに本明細書で説明する機能を実行させるように構成され得る。（１つまたは複数の）プロセッサ９０５は、インテリジェントハードウェアデバイス、たとえば、中央処理ユニット（ＣＰＵ）、マイクロコントローラ、特定用途向け集積回路（ＡＳＩＣ）などを含み得る。
【０１０１】
[0109]図１０は、本開示の様々な態様による、ワイヤレス通信システムにおけるデュアルスレッドフィードバックのために構成されたデバイス１００５のブロック図１０００を示す。いくつかの例では、デバイス１００５は、図１、図２、図３、図１２または図１３を参照しながら説明する基地局１０５のうちの１つまたは複数の態様の一例であり得る。いくつかの例では、デバイス１００５は、ＬＴＥ／ＬＴＥ−Ａ  ｅＮＢおよび／またはＬＴＥ／ＬＴＥ−Ａ基地局一部であるか、またはＬＴＥ／ＬＴＥ−Ａ  ｅＮＢおよび／またはＬＴＥ／ＬＴＥ−Ａ基地局を含み得る。デバイス１００５はまた、プロセッサであり得る。デバイス１００５は、基地局受信機１０１０、基地局送信機１０２０、チャネル測定プロセッサ１０３０、チャネルスケジューラ１０４０、および／または基地局ＴＳセレクタ１０５０を含み得る。これらの構成要素の各々は互いと通信していることがある。
【０１０２】
[0110]いくつかの例では、基地局受信機１０１０は、第１のフィードバックスレッド中のチャネルフィードバックと第２のフィードバックスレッド中のチャネル品質とを含む、ＵＥからのフィードバックを受信するように動作可能な少なくとも１つのＲＦ受信機を含み得る。基地局受信機１０１０は、図１または図２を参照しながら説明したワイヤレス通信システム１００および２００など、ワイヤレス通信システムの１つまたは複数の通信リンク上で、様々なタイプのデータおよび／または制御信号（たとえば、送信）を受信するために使用され得る。
【０１０３】
[0111]いくつかの例では、基地局送信機１０２０は、様々な多元接続技法（たとえば、シングルユーザ、送信ダイバーシティ、ＳＤＭＡ、ＮＯＭＡなど）に従って複数のＵＥ１１５に同時データ送信を送信するように動作可能な少なくとも１つのＲＦ送信機を含み得る。基地局送信機１０２０は、図１または図２を参照しながら説明したワイヤレス通信システム１００および２００など、ワイヤレス通信システムの１つまたは複数の通信リンク上で、様々なタイプの基準信号、制御シグナリング、および／またはデータ送信を送信するために使用され得る。
【０１０４】
[0112]いくつかの例では、チャネル測定プロセッサ１０３０は、デバイス１００５によってサービスされるＵＥ１１５のための第１のフィードバックスレッドに従って、（たとえば、基地局受信機１０１０を介して）チャネルフィードバック１０１５を受信し得る。各ＵＥ１１５からのチャネルフィードバック１０１５は、たとえば、チャネル測定行列ＭPまたはチャネル測定行列ＭPの要素を含む。チャネルフィードバックは量子化され得る（たとえば、チャネル測定行列コードブックに対する量子化されたインデックス、またはチャネル測定行列ＭPの量子化された要素値など）。チャネル測定プロセッサ１０３０は、第１のフィードバックスレッド中で受信されたチャネルフィードバック１０１５からサービスされるＵＥのためのＳＮＲが正確に決定され得るかどうかを決定し得る。サービスされるＵＥ１１５のためのＳＮＲが正確に決定され得る場合、チャネル測定プロセッサ１０３０は、ＳＮＲ情報１０３５をチャネルスケジューラ１０４０に渡し得、それはＵＥのためのスケジューリングを実行し得る。
【０１０５】
[0113]代替的に、チャネル測定プロセッサ１０３０は、第１のフィードバックスレッドからのチャネルフィードバックに基づいて、ＴＳのためにＵＥをグループ化し得る。チャネル測定プロセッサ１０３０は、ＴＳセットをＵＥ１１５に送り得る。たとえば、チャネル測定プロセッサ１０３０は、ＴＳセット１０５５を基地局送信機１０２０に与え得、それは、第２のフィードバックスレッドに関連するＣＳＩフィードバック要求中でＴＳセットをＵＥ１１５に送り得る。基地局送信機１０２０は、制御情報（たとえば、ＤＣＩ、ＭＡＣ制御要素など）中のまたはデータに付加されたＴＳセットを送り得る。
【０１０６】
[0114]基地局ＴＳセレクタ１０５０は、（たとえば、基地局受信機１０１０を介して）第２のフィードバックスレッド中でＴＳセットのうちの１つまたは複数のＴＳのためのＣＳＩ１０６５を受信し得る。ＣＳＩ１０６５は、１つまたは複数のＴＳのためのチャネル品質（たとえば、ＣＱＩなど）を含み得る。ＣＳＩ１０６５は、場合によっては、ＲＩ、ＰＭＩ、および／またはＰＴＩを含み得る。基地局ＴＳセレクタ１０５０は、ＵＥ１１５への送信のための第２のフィードバックスレッド中で受信されたＣＳＩに基づいて、ＴＳセットからＴＳを選択し得る。追加または代替として、基地局ＴＳセレクタ１０５０は、いくつかのＵＥのためのＴＳセット中にないＴＳを選択し得る（たとえば、チャネルフィードバック１０１５に基づいて、いくつかのＵＥのためのＴＳが選択され得るなど）。基地局ＴＳセレクタ１０５０は、ＴＳ選択情報１０４５をチャネルスケジューラ１０４０に渡し得、それは、サービスされるＵＥ１１５へのＤＬデータ送信をスケジュールし、スケジューリング情報１０７５を、スケジューリング情報１０７５に従うＵＥ１１５へのデータストリームの送信のために基地局送信機１０２０に与え得る。基地局ＴＳセレクタ１０５０は、ＵＥ１１５に対してチャネル状態が変化したかどうかを決定するために、ＣＳＩ１０６５を監視し得る。たとえば、基地局ＴＳセレクタ１０５０は、ＵＥ１１５からのチャネル品質を監視し得、チャネル状態が変化した（たとえば、チャネル状態の変化がしきい値を超えるなど）場合、チャネルフィードバック１０１５の更新（たとえば、非周期要求など）をトリガし得る。
【０１０７】
[0115]図１１は、本開示の様々な態様による、ワイヤレス通信システムにおけるデュアルスレッドフィードバックのために構成されたデバイス１００５−ａのブロック図１１００を示す。いくつかの例では、デバイス１００５−ａは、図１、図２、図３、図１２または図１３を参照しながら説明する基地局１０５のうちの１つまたは複数の態様の一例、および／または、図１０を参照しながら説明したデバイス１００５の態様の一例であり得る。いくつかの例では、デバイス１００５−ａは、ＬＴＥ／ＬＴＥ−Ａ  ｅＮＢおよび／またはＬＴＥ／ＬＴＥ−Ａ基地局（たとえば、ｅＮＢ）の一部であるか、またはＬＴＥ／ＬＴＥ−Ａ  ｅＮＢおよび／またはＬＴＥ／ＬＴＥ−Ａ基地局を含み得る。デバイス１００５−ａはプロセッサでもあり得る。デバイス１００５−ａは、基地局受信機１０１０−ａ、基地局送信機１０２０−ａ、チャネル測定プロセッサ１０３０−ａ、チャネルスケジューラ１０４０−ａ、および／または基地局ＴＳセレクタ１０５０−ａを含み得る。これらの構成要素の各々は互いと通信していることがある。
【０１０８】
[0116]いくつかの例では、基地局受信機１０１０−ａは、図１０を参照しながら説明した基地局受信機１０１０の１つまたは複数の態様の一例であり得る。いくつかの例では、基地局送信機１０２０−ａは、図１０を参照しながら説明した基地局送信機１０２０の１つまたは複数の態様の一例であり得る。たとえば、基地局受信機１０１０−ａは、チャネルフィードバック１０１５−ａをチャネル測定プロセッサ１０３０−ａに渡し得、第２のフィードバックスレッド中のＴＳセットのうちの１つまたは複数のＴＳのためのＣＳＩ１０６５−ａを基地局ＴＳセレクタ１０５０−ａに渡し得る。
【０１０９】
[0117]チャネル測定プロセッサ１０３０−ａ、チャネルスケジューラ１０４０−ａ、および基地局ＴＳセレクタ１０５０−ａは、それぞれ、図１０の測定プロセッサ１０３０、チャネルスケジューラ１０４０、および基地局ＴＳセレクタ１０５０の例であり得、上記で説明した対応する機能を実行し得る。たとえば、基地局ＴＳセレクタ１０５０−ａは、第２のフィードバックスレッド中でＴＳセットのうちの１つまたは複数のＴＳのためのＣＳＩ１０６５−ａを受信し、スケジューリングのためにＴＳセットからＴＳを選択し、ＴＳ選択情報１０４５−ａをチャネルスケジューラ１０４０−ａに渡し、それは、サービスされるＵＥへのＤＬデータ送信をスケジュールし、スケジューリング情報１０７５−ａを、スケジューリング情報１０７５−ａに従うＵＥ１１５へのデータストリームの送信のために基地局送信機１０２０−ａに与え得る。
【０１１０】
[0118]ＵＥグループ化構成要素１１６０は、ＴＳをＴＳセットにグループ化し得る。たとえば、ＵＥグループ化構成要素１１６０は、ＴＳ空間を複数のＴＳセットに分割し得、これは、最適化されたＵＥグループを与えるＴＳを見つける見込み（chance）を改善し得る。潜在的ＴＳは、多元接続技法（たとえば、シングルユーザ、ＮＯＭＡ、ＳＤＭＡなど）、送信モードおよび／またはＣＳＩフィードバックのタイプに従って、ＴＳセットにアセンブルされ得る。
【０１１１】
[0119]チャネル品質精度構成要素１１７０は、第１のフィードバックスレッド中で受信されたチャネルフィードバックからサービスされるＵＥのためのＳＮＲが正確に決定され得るかどうかを決定し得る。チャネル品質精度構成要素１１７０が、ＵＥのセットのためのＳＮＲが正確に決定され得、他のＵＥのための潜在的ＴＳを補足すると決定した場合、チャネル測定プロセッサ１０３０−ａは、ＳＮＲ情報１０３５−ａを、ＵＥのためのＴＳ選択およびスケジューリングを実行し得る、基地局ＴＳセレクタ１０５０−ａおよび／またはチャネルスケジューラ１０４０−ａに渡し得る。
【０１１２】
[0120]図１０または図１１のデバイス１００５の構成要素の機能は、全体的にまたは部分的に、１つまたは複数の汎用または特定用途向けプロセッサ（たとえば、ＣＰＵ、コアなど）によって実行されるようにフォーマットされた、メモリに組み込まれた（embodied）命令を用いて実装され得る。たとえば、説明する構成要素は、１つまたは複数のプロセッサ上で実行するためにコンパイルされ得るか、あるいは１つまたは複数のプロセッサによってランタイムにおいて解釈され得る、１つまたは複数の機能、サブルーチン、クラス、モジュール、および／またはパッケージに組み込まれた命令を表し得る。追加または代替として、デバイス１００５の様々な構成要素は、当技術分野で知られている任意の様式でプログラム（たとえば、ハードウェア記述言語（ＨＤＬ）から構成、合成など）され得る、１つまたは複数の特定用途向け集積回路（ＡＳＩＣ）、フィールドプログラマブルゲートアレイ（ＦＰＧＡ）、および／あるいは他のセミカスタム構成要素または集積回路（ＩＣ）を使用して、ハードウェア（たとえば、回路など）で個々にまたはまとめて実装され得る。
【０１１３】
[0121]図１２は、本開示の様々な態様による、ワイヤレス通信システムにおけるデュアルスレッドフィードバックのために構成された基地局１０５−ｂ（たとえば、ｅＮＢの一部または全部を形成する基地局）のブロック図１２００を示す。いくつかの例では、基地局１０５−ｂは、図１、図２、図３または図１３を参照しながら説明する基地局１０５のうちの１つまたは複数の態様、ならびに／あるいは図１０および／または図１１を参照しながら説明したように、基地局として構成されたときの装置１００５のうちの１つまたは複数の態様の一例であり得る。基地局１０５−ｂは、図１〜図４および図６を参照しながら説明した基地局および／または装置特徴および機能のうちの少なくともいくつかを実装するかまたは容易にするように構成され得る。
【０１１４】
[0122]基地局１０５−ｂは、基地局プロセッサ１２１０と、（ソフトウェア／ファームウェア１２２５を含む）基地局メモリ１２２０と、（１つまたは複数の）基地局トランシーバ１２５０と、（１つまたは複数の）基地局アンテナ１２５５とを含み得る。基地局１０５−ａはまた、基地局通信マネージャ１２３０および／またはネットワーク通信マネージャ１２４０のうちの１つまたは複数を含み得る。これらの構成要素の各々は、１つまたは複数のバス１２３５を介して、直接または間接的に互いと通信していることがある。
【０１１５】
[0123]基地局１０５−ｂは、チャネル測定プロセッサ１０３０−ｂ、チャネルスケジューラ１０４０−ｂ、および／または基地局ＴＳセレクタ１０５０−ｂを含み得、それらは、第１のフィードバックスレッド中でチャネルフィードバックを受信することと、チャネルフィードバックから正確なＳＮＲが決定され得るかどうかを決定することと、ＵＥをＴＳにおいてグループ化することと、ＴＳセットを決定し、送ることと、第２のフィードバックスレッド中でチャネル品質を受信することと、送信のためにＵＥをスケジュールすることとに関係する、図１０および図１１を参照しながら上記で説明した特徴および／または機能の一部または全部を実行および／または制御するように構成され得る。いくつかの例では、チャネル測定プロセッサ１０３０−ｂ、チャネルスケジューラ１０４０−ｂ、および／または基地局ＴＳセレクタ１０５０−ｂは、ソフトウェア／ファームウェアコード１２２５の一部であり得、基地局プロセッサ１２１０に本明細書で説明する様々な機能を実行させるように構成された命令を含み得る。チャネル測定プロセッサ１０３０−ｂ、チャネルスケジューラ１０４０−ｂ、および／または基地局ＴＳセレクタ１０５０−ｂは、それぞれ、図１０および図１１を参照しながら説明した、チャネル測定プロセッサ１０３０、チャネルスケジューラ１０４０、および基地局ＴＳセレクタ１０５０の例であり得る。
【０１１６】
[0124]基地局メモリ１２２０は、ランダムアクセスメモリ（ＲＡＭ）および／または読取り専用メモリ（ＲＯＭ）を含み得る。基地局メモリ１２２０は、実行されたとき、基地局プロセッサ１２１０に本明細書で説明する様々な機能を実行させるように構成された命令を含んでいるコンピュータ可読、コンピュータ実行可能ソフトウェア／ファームウェアコード１２２５を記憶し得る。代替的に、コンピュータ可読、コンピュータ実行可能ソフトウェア／ファームウェアコード１２２５は、基地局プロセッサ１２１０によって直接的に実行可能でないことがあるが、（たとえば、コンパイルされ、実行されたとき）本明細書で説明する機能のうちのいくつかを基地局１０５−ｂに実行させるように構成され得る。
【０１１７】
[0125]基地局プロセッサ１２１０は、インテリジェントハードウェアデバイス、たとえば、中央処理ユニット（ＣＰＵ）、マイクロコントローラ、ＡＳＩＣなどを含み得る。基地局プロセッサ１２１０は、（１つまたは複数の）基地局トランシーバ１２５０、基地局通信マネージャ１２３０、および／またはネットワーク通信マネージャ１２４０を通して受信された情報を処理し得る。基地局プロセッサ１２１０はまた、（１つまたは複数の）アンテナ１２５５を通した送信のために（１つまたは複数の）トランシーバ１２５０に送られるべき情報、１つまたは複数の他の基地局１０５−ｂおよび１０５−ｃへの送信のために基地局通信マネージャ１２３０に送られるべき情報、ならびに／または図１を参照しながら説明したコアネットワーク１３０の１つまたは複数の態様の一例であり得る、コアネットワーク１２４５への送信のためにネットワーク通信マネージャ１２４０に送られるべき情報を処理し得る。
【０１１８】
[0126]（１つまたは複数の）基地局トランシーバ１２５０は、パケットを変調し、変調されたパケットを送信のために（１つまたは複数の）基地局アンテナ１２５５に与え、（１つまたは複数の）基地局アンテナ１２５５から受信されたパケットを復調するように構成されたモデムを含み得る。（１つまたは複数の）基地局トランシーバ１２５０は、いくつかの例では、１つまたは複数の基地局送信機および１つまたは複数の別個の基地局受信機として実装され得る。（１つまたは複数の）基地局トランシーバ１２５０は、図１、図２、図３、図９または図１３を参照しながら説明するＵＥ１１５のうちの１つまたは複数など、１つまたは複数のＵＥまたは装置と、（１つまたは複数の）アンテナ１２５５を介して双方向に通信するように構成され得る。基地局１０５−ｂは、たとえば、複数の基地局アンテナ１２５５（たとえば、アンテナアレイ）を含み得る。基地局１０５−ｂは、ネットワーク通信マネージャ１２４０を通してコアネットワーク１２４５と通信し得る。基地局１０５−ｂはまた、基地局通信マネージャ１２３０を使用して、基地局１０５−ｎおよび１０５−ｍなど、他の基地局と通信し得る。
【０１１９】
[0127]図１３は、基地局１０５−ｃとＵＥ１１５−ｆとを含む例示的なマルチアンテナ通信システム１３００のブロック図である。マルチアンテナ通信システム１３００は、図１または図２に示されているワイヤレス通信システム１００または２００の態様を示し得る。基地局１０５−ｃは、アンテナ１３３４−ａ〜１３３４−ｘを装備し得、ＵＥ１１５−ｆは、アンテナ１３５２−ａ〜１３５２−ｎを装備し得る。通信システム１３００では、基地局１０５−ｃは、同時に複数の通信リンク上でデータを送ることが可能であり得る。各通信リンクは「レイヤ」と呼ばれることがあり、通信リンクの「ランク」は、通信のために使用されるレイヤの数を示し得る。たとえば、基地局１０５−ｃが２つの「レイヤ」を送信する２×２ＭＩＭＯ通信システムでは、基地局１０５−ｃとＵＥ１１５−ｆとの間の通信リンクのランクは２である。
【０１２０】
[0128]基地局１０５−ｃにおいて、送信プロセッサ１３２０がデータソースからデータを受信し得る。送信プロセッサ１３２０はデータを処理し得る。送信プロセッサ１３２０はまた、制御シンボルおよび／または基準シンボルを生成し得る。送信（ＴＸ）ＭＩＭＯプロセッサ１３３０が、適用可能な場合、データシンボル、制御シンボル、および／または基準シンボルに対して空間処理（たとえば、プリコーディング）を実行し得、出力シンボルストリームを送信変調器１３３２−ａ〜１３３２−ｘに与え得る。各変調器１３３２は、出力サンプルストリームを取得するために、（たとえば、ＯＦＤＭなどのために）それぞれの出力シンボルストリームを処理し得る。各変調器１３３２はさらに、ＤＬ信号を取得するために、出力サンプルストリームを処理（たとえば、アナログへの変換、増幅、フィルタ処理、およびアップコンバート）し得る。一例では、変調器１３３２−ａ〜１３３２−ｘからのＤＬ信号は、それぞれアンテナ１３３４−ａ〜１３３４−ｘを介して送信され得る。
【０１２１】
[0129]ＵＥ１１５−ｆにおいて、ＵＥアンテナ１３５２−ａ〜１３５２−ｎは、基地局１０５−ｄからＤＬ信号を受信し得、受信信号をそれぞれ復調器１３５４−ａ〜１３５４−ｎに与え得る。各復調器１３５４は、入力サンプルを取得するために、それぞれの受信信号を調整（condition）（たとえば、フィルタ処理、増幅、ダウンコンバート、およびデジタル化）し得る。各復調器１３５４は、さらに、受信シンボルを取得するために、（たとえば、ＯＦＤＭなどのために）入力サンプルを処理し得る。ＭＩＭＯ検出器１３５６は、すべての復調器１３５４−ａ〜１３５４−ｎから受信シンボルを取得し、適用可能な場合は受信シンボルに対してＭＩＭＯ検出を実行し、検出シンボルを与え得る。受信プロセッサ１３５８が、検出されたシンボルを処理（たとえば、復調、デインターリーブ、および復号）し、ＵＥ１１５−ｆの復号されたデータをデータ出力に与え、復号された制御情報をプロセッサ１３８０、またはメモリ１３８２に与え得る。
【０１２２】
[0130]プロセッサ１３８０は、場合によっては、ＣＳＩフィードバックプロセッサ１３８５をインスタンス化するための記憶された命令を実行し得る。ＣＳＩフィードバックプロセッサ１３８５は、第１のフィードバックスレッド中でチャネルフィードバックを与えることと、ＴＳセットを受信することと、ＴＳセットのうちの１つまたは複数のＴＳのために第２のフィードバックスレッド中でチャネル品質を与えることとに関係する、図７および図８の構成要素の機能を実行し得る。たとえば、ＣＳＩフィードバックプロセッサ１３８５は、図７、図８および／または図９を参照しながら説明したチャネル測定フィードバック構成要素７３０およびチャネル品質フィードバック構成要素７４０の態様の一例であり得る。
【０１２３】
[0131]アップリンク（ＵＬ）上で、ＵＥ１１５−ｆにおいて、送信プロセッサ１３６４が、データソースからデータを受信し、処理し得る。送信プロセッサ１３６４はまた、基準信号のための基準シンボルを生成し得る。送信プロセッサ１３６４からのシンボルは、適用可能な場合は送信ＭＩＭＯプロセッサ１３６６によってプリコードされ、さらに（たとえば、ＳＣ−ＦＤＭＡなどのために）変調器１３５４−ａ〜１３５４−ｎによって処理され、基地局１０５−ｃから受信された送信パラメータに従って基地局１０５−ｃに送信され得る。基地局１０５−ｃにおいて、ＵＥ１１５−ｆからのＵＬ信号は、アンテナ１３３４によって受信され、復調器１３３２によって処理され、適用可能な場合はＭＩＭＯ検出器１３３６によって検出され、さらに受信プロセッサ１３３８によって処理され得る。受信プロセッサ１３３８は、復号されたデータをデータ出力とプロセッサ１３４０および／またはメモリ１３４２とに与え得る。プロセッサ１３４０は、場合によっては、第１のフィードバックスレッド中でチャネルフィードバックを受信することと、チャネルフィードバックから正確なＳＮＲが決定され得るかどうかを決定することと、ＵＥをＴＳにおいてグループ化することと、ＴＳセットを決定し、送ることと、第２のフィードバックスレッド中でチャネル品質フィードバックを受信することと、送信のために複数のＵＥをスケジュールすることとに関係する上記で説明した機能を実行するように構成され得る、デュアルスレッドスケジューラ１３４５の１つまたは複数をインスタンス化するための記憶された命令を実行し得る。デュアルスレッドスケジューラ１３４５は、図１０、図１１および／または図１２を参照しながら説明したチャネル測定プロセッサ１０３０、チャネルスケジューラ１０４０、および／または基地局ＴＳセレクタ１０５０の態様の一例であり得る。
【０１２４】
[0132]ＵＥ１１５−ｆの構成要素は、適用可能な機能の一部または全部をハードウェアで実行するように適応された１つまたは複数のＡＳＩＣを用いて、個々にまたはまとめて実装され得る。言及した構成要素の各々は、通信システム１３００の動作に関係する１つまたは複数の機能を実行するための手段であり得る。同様に、基地局１０５−ｃの構成要素は、適用可能な機能の一部または全部をハードウェアで実行するように適応された１つまたは複数のＡＳＩＣを用いて、個々にまたはまとめて実装され得る。言及した構成要素の各々は、通信システム１３００の動作に関係する１つまたは複数の機能を実行するための手段であり得る。
【０１２５】
[0133]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムが説明され、上記の説明の大部分においてＬＴＥ用語が使用されるが、本技法はＬＴＥ／ＬＴＥ−Ａ適用例以外に適用可能である。
【０１２６】
[0134]添付の図面に関して上記に記載された詳細な説明は、例が説明されており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１２７】
[0135]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２８】
[0136]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１２９】
[0137]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３０】
[0138]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３１】
[0139]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ユーザ機器（ＵＥ）におけるワイヤレス通信のための方法であって、
キャリアの非直交チャネルのためのチャネルフィードバックを報告することと、
前記キャリア上でのダウンリンク送信のための複数の潜在的送信ストラテジーを受信することと、
前記複数の潜在的送信ストラテジーのうちの少なくとも１つの送信ストラテジーのためのチャネル品質を報告することと、
前記少なくとも１つの送信ストラテジーから選択された送信ストラテジーに従って、前記非直交チャネルのうちの１つまたは複数上でダウンリンク送信を受信することとを備える、方法。
［Ｃ２］
前記非直交チャネルのためのチャネル行列と雑音共分散行列とに基づいて、チャネルフィードバック行列を決定することをさらに備え、
ここにおいて、前記チャネルフィードバックを前記報告することが、前記チャネルフィードバック行列の少なくとも１つの構成要素を報告することを備える、Ｃ１に記載の方法。
［Ｃ３］
前記チャネルフィードバック行列が、プリコーディング行列に基づいてさらに決定される、Ｃ２に記載の方法。
［Ｃ４］
前記プリコーディング行列が、前記非直交チャネルのためのデフォルトプリコーディング行列を備える、Ｃ３に記載の方法。
［Ｃ５］
周波数領域相関、時間領域相関、またはそれらの組合せに従って、前記チャネルフィードバック行列の前記少なくとも１つの構成要素のための報告される値を圧縮することをさらに備える、Ｃ２に記載の方法。
［Ｃ６］
前記複数の潜在的送信ストラテジーのうちの第１の送信ストラテジーが、前記ＵＥのための第１のデータ送信と、異なるＵＥのための第２のデータ送信とを備える、Ｃ１に記載の方法。
［Ｃ７］
前記第２のデータ送信から雑音を受ける前記第１のデータ送信のためのチャネル品質の推定値に基づいて、前記第１の送信ストラテジーのための前記チャネル品質を決定することをさらに備える、Ｃ６に記載の方法。
［Ｃ８］
前記第２のデータ送信の干渉消去の後の前記第１のデータ送信のためのチャネル品質の推定値に基づいて、前記第１の送信ストラテジーのための前記チャネル品質を決定することをさらに備える、Ｃ６に記載の方法。
［Ｃ９］
前記少なくとも１つの送信ストラテジーが、少なくとも１つのシングルユーザ送信ストラテジーと、少なくとも１つのマルチユーザ送信ストラテジーとを備える、Ｃ１に記載の方法。
［Ｃ１０］
前記複数の潜在的送信ストラテジーが、１つまたは複数の送信ストラテジーセットにアセンブルされ、前記方法は、
前記複数の潜在的送信ストラテジーから前記少なくとも１つの送信ストラテジーを選択すること、ここにおいて、前記少なくとも１つの送信ストラテジーが、前記１つまたは複数の送信ストラテジーセットの各々からの１つまたは複数の送信ストラテジーを備える、をさらに備える、Ｃ１に記載の方法。
［Ｃ１１］
前記複数の潜在的送信ストラテジーの各送信ストラテジーは、プリコーディング行列、前記ＵＥへの前記ダウンリンク送信のための空間レイヤの第１のセット、少なくとも１つの他のＵＥへの前記ダウンリンク送信のための空間レイヤの第２のセット、前記各送信ストラテジーに関連する前記チャネル品質を達成するために干渉消去が適用されるかどうか、またはそれらの組合せのいずれかを備える、Ｃ１に記載の方法。
［Ｃ１２］
基地局におけるワイヤレス通信の方法であって、
キャリアの非直交チャネルのためのチャネルフィードバックを複数のユーザ機器（ＵＥ）から受信することと、
前記チャネルフィードバックに少なくとも部分的に基づいて、前記キャリア上でのダウンリンク送信のための前記１つまたは複数のＵＥのための潜在的送信ストラテジーのそれぞれのセットを、前記複数のＵＥのうちの１つまたは複数のＵＥに送ることと、
前記１つまたは複数のＵＥから、潜在的送信ストラテジーの前記それぞれのセットの各々の少なくともサブセットに関連するそれぞれのチャネル品質を受信することと、
前記１つまたは複数のＵＥから受信された前記それぞれのチャネル品質に少なくとも部分的に基づいて、ダウンリンク送信のセットのための１つまたは複数の送信ストラテジーを選択することと、
前記選択された送信ストラテジーに従って、前記非直交チャネルのうちの１つまたは複数上で、ダウンリンク送信の前記セットを前記複数のＵＥの少なくともサブセットに送信することとを備える、方法。
［Ｃ１３］
前記１つまたは複数のＵＥのための潜在的送信ストラテジーの前記それぞれのセットを前記送ることは、
前記チャネルフィードバックに少なくとも部分的に基づいて、潜在的送信ストラテジーの前記それぞれのセットのために前記１つまたは複数のＵＥをグループ化すること、ここにおいて、送信ストラテジーのためにグループ化されたＵＥが、前記送信ストラテジーのための前記非直交チャネルの少なくとも部分的に重複するリソースに割り当てられる、を備える、Ｃ１２に記載の方法。
［Ｃ１４］
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも１つのＵＥが、前記第１の送信ストラテジーのための単一の空間レイヤを利用する、Ｃ１３に記載の方法。
［Ｃ１５］
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも１つのＵＥが、前記第１の送信ストラテジーのための複数の空間レイヤを利用する、Ｃ１３に記載の方法。
［Ｃ１６］
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも２つのＵＥへの前記第１の送信ストラテジーのための送信が、直交である、Ｃ１３に記載の方法。
［Ｃ１７］
潜在的送信ストラテジーの前記それぞれのセットが、第１の潜在的ＵＥグループに関連する第１の送信ストラテジーを備え、ここにおいて、前記第１の潜在的ＵＥグループのうちの少なくとも２つのＵＥへの前記第１の送信ストラテジーのための送信が、非直交である、Ｃ１３に記載の方法。
［Ｃ１８］
送信電力が、前記第１の潜在的ＵＥグループのうちの前記少なくとも２つのＵＥ間で分割される、Ｃ１７に記載の方法。
［Ｃ１９］
潜在的送信ストラテジーの前記それぞれのセットが、前記複数のＵＥの各ＵＥに関連する潜在的送信ストラテジーの１つまたは複数のセットを備える、Ｃ１２に記載の方法。
［Ｃ２０］
前記受信されたチャネルフィードバックに基づいて、前記複数のＵＥのうちの少なくとも１つのＵＥのためのチャネル品質を決定することと、
前記決定されたチャネル品質に基づいて、前記複数のＵＥのうちの前記少なくとも１つのＵＥのための前記非直交チャネルの送信リソースをスケジュールすることとをさらに備える、Ｃ１２に記載の方法。
［Ｃ２１］
前記少なくとも１つのＵＥから受信された前記それぞれのチャネル品質に少なくとも部分的に基づいて、チャネル状態が前記複数のＵＥのうちの少なくとも１つのＵＥについて変化したと決定することと、
前記少なくとも１つのＵＥからの更新されたチャネルフィードバックの報告をトリガすることとをさらに備える、Ｃ１２に記載の方法。
［Ｃ２２］
ユーザ機器（ＵＥ）によるワイヤレス通信のための装置であって、
キャリアの非直交チャネルのためのチャネルフィードバックを報告するための手段と、
前記キャリア上でのダウンリンク送信のための複数の潜在的送信ストラテジーを受信するための手段と、
前記複数の潜在的送信ストラテジーのうちの少なくとも１つの送信ストラテジーのためのチャネル品質を報告するための手段と、
前記少なくとも１つの送信ストラテジーから選択された送信ストラテジーに従って、前記非直交チャネルのうちの１つまたは複数上でダウンリンク送信を受信するための手段とを備える、装置。
［Ｃ２３］
前記非直交チャネルのためのチャネル行列と雑音共分散行列とに基づいてチャネルフィードバック行列を決定するための手段をさらに備え、
ここにおいて、前記チャネルフィードバックを報告するための前記手段が、前記チャネルフィードバック中で前記チャネルフィードバック行列の少なくとも１つの構成要素を報告する、Ｃ２２に記載の装置。
［Ｃ２４］
前記チャネルフィードバック行列が、プリコーディング行列に基づいてさらに決定される、Ｃ２３に記載の装置。
［Ｃ２５］
前記複数の潜在的送信ストラテジーのうちの第１の送信ストラテジーが、前記ＵＥのための第１のデータ送信と、異なるＵＥのための第２のデータ送信とを備える、Ｃ２２に記載の装置。
［Ｃ２６］
前記第２のデータ送信から雑音を受ける前記第１のデータ送信のための前記チャネル品質を推定することによって、または、前記第２のデータ送信の干渉消去の後の前記第１のデータ送信のための前記チャネル品質を推定することによって、前記第１の送信ストラテジーのための前記チャネル品質を決定するための手段をさらに備える、Ｃ２５に記載の装置。
［Ｃ２７］
前記複数の潜在的送信ストラテジーが、１つまたは複数の送信ストラテジーセットにアセンブルされ、前記装置は、
前記複数の潜在的送信ストラテジーから前記少なくとも１つの送信ストラテジーを選択するための手段、ここにおいて、前記少なくとも１つの送信ストラテジーが、前記１つまたは複数の送信ストラテジーセットの各々からの１つまたは複数の送信ストラテジーを備える、をさらに備える、Ｃ２２に記載の装置。
［Ｃ２８］
基地局によるワイヤレス通信のための装置であって、
キャリアの非直交チャネルのためのチャネルフィードバックを複数のユーザ機器（ＵＥ）から受信するための手段と、
前記チャネルフィードバックに少なくとも部分的に基づいて、前記キャリア上でのダウンリンク送信のための前記１つまたは複数のＵＥのための潜在的送信ストラテジーのそれぞれのセットを、前記複数のＵＥのうちの１つまたは複数のＵＥに送るための手段と、
前記複数のＵＥのうちの前記１つまたは複数のＵＥから、潜在的送信ストラテジーの前記それぞれのセットの各々の少なくともサブセットに関連するそれぞれのチャネル品質を受信するための手段と、
前記１つまたは複数のＵＥから受信された前記それぞれのチャネル品質に少なくとも部分的に基づいて、ダウンリンク送信のセットのための１つまたは複数の送信ストラテジーを選択するための手段と、
前記選択された送信ストラテジーに従って、前記非直交チャネルのうちの１つまたは複数上で、ダウンリンク送信の前記セットを前記複数のＵＥの少なくともサブセットに送信するための手段とを備える、装置。
［Ｃ２９］
前記チャネルフィードバックに少なくとも部分的に基づいて、潜在的送信ストラテジーの前記それぞれのセットのために前記１つまたは複数のＵＥをグループ化するための手段、ここにおいて、送信ストラテジーのためにグループ化されたＵＥが、前記送信ストラテジーのための前記非直交チャネルの少なくとも部分的に重複するリソースに割り当てられる、をさらに備える、Ｃ２８に記載の装置。
［Ｃ３０］
前記受信されたチャネルフィードバックに基づいて、前記複数のＵＥのうちの少なくとも１つのＵＥのためのチャネル品質を決定するための手段と、
前記決定されたチャネル品質に基づいて、前記複数のＵＥのうちの前記少なくとも１つのＵＥのための前記非直交チャネルの送信リソースをスケジュールするための手段とをさらに備える、Ｃ２８に記載の装置。
【図１】
0006337202.tif 000005
【図２】
0006337202.tif 000006
【図３】
0006337202.tif 000007
【図４】
0006337202.tif 000008
【図５】
0006337202.tif 000009
【図６】
0006337202.tif 000010
【図７】
0006337202.tif 000011
【図８】
0006337202.tif 000012
【図９】
0006337202.tif 000013
【図１０】
0006337202.tif 000014
【図１１】
0006337202.tif 000015
【図１２】
0006337202.tif 000016
【図１３】
0006337202.tif 000017